(57)【要約】【課題】受信端デバイスの復調／復号負荷、検出／ブラインド復号回数の量、電力消費、及び実装複雑性を削減すること。【解決手段】本発明の実施形態は、制御シグナリング送信の方法及びデバイスを提供し、また、通信分野に関する。本発明の実施形態において提供されるソリューションは、制御シグナリングを送信するために用いられるリソースサブセットを決定するステップであって、リソースサブセットは制御シグナリングを送信するために用いられるリソースプールの一部である、ステップ、及びリソースサブセットにおいて制御シグナリングの送信位置を決定するステップ及び送信位置で制御シグナリングを送信するステップ、又は、リソースサブセットにおいてブラインド制御シグナリング検出を実行するステップを含む。【選択図】図５
2020058078.tif 000002
【特許請求の範囲】
【請求項１】
制御シグナリング送信の方法であって、前記方法は、エンドツーエンド通信デバイスに適用され、
制御シグナリングを送信するために用いられるリソースサブセットを決定するステップであって、前記リソースサブセットは、前記制御シグナリングを送信するために用いられるリソースプールに属する、ステップと、
前記リソースサブセットにおいて前記制御シグナリングの送信位置を決定し、かつ前記送信位置で前記制御シグナリングを送信するか、又は、前記リソースサブセットにおいてブラインド制御シグナリング検出を実行するステップと
を含む、方法。
【請求項２】
制御シグナリングを送信するために用いられるリソースサブセットを決定する前記ステップは、
予め設定されたルールに基づいて前記リソースサブセットを決定するステップを含む
請求項１に記載の方法。
【請求項３】
前記予め設定されたルールは、前記リソースサブセットが指定されたリソースセットであることを含む
請求項２に記載の方法。
【請求項４】
制御シグナリングを送信するために用いられるリソースサブセットを決定する前記ステップは、
プリセットパラメータに基づいて前記リソースサブセットを決定するステップを含み、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項１に記載の方法。
【請求項５】
プリセットパラメータに基づいて前記リソースサブセットを決定する前記ステップは、
前記プリセットパラメータが１つのパラメータである場合に、前記リソースサブセットが、前記プリセットパラメータに対応する、第１のプリセットの対応関係におけるリソース又はリソースパターン番号であることを決定するステップであって、前記第１のプリセットの対応関係は、少なくとも１つのプリセットパラメータと、前記少なくとも１つのプリセットパラメータとの１対１対応におけるリソース又はリソースパターン番号とを含む、ステップ、又は
前記プリセットパラメータが複数のパラメータである場合に、前記リソースサブセットが、前記プリセットパラメータの全部のパラメータに対応する、前記第１のプリセットの対応関係におけるリソース又はリソースパターン番号の共通集合であることを決定するステップを含む、
請求項４に記載の方法。
【請求項６】
プリセットパラメータに基づいて前記リソースサブセットを決定する前記ステップは、
前記プリセットパラメータが１つのパラメータである場合に、前記リソースサブセットが、前記プリセットパラメータが満たす予め設定された条件に対応する、第２のプリセットの対応関係におけるリソース又はリソースパターン番号であることを決定するステップであって、前記第２のプリセットの対応関係は、少なくとも１つの予め設定された条件と、前記少なくとも１つの予め設定された条件との１対１対応におけるリソース又はリソースパターン番号とを含む、ステップ、又は
前記プリセットパラメータが複数のパラメータである場合に、前記リソースサブセットが、前記複数のパラメータの各々が満たす予め設定された条件に対応する、前記第２のプリセットの対応関係におけるリソース又はリソースパターン番号の共通集合であることを決定するステップを含む、
請求項４に記載の方法。
【請求項７】
前記エンドツーエンド通信デバイスは受信端デバイスであり、前記制御シグナリング、前記制御シグナリングに用いられる無線ネットワーク一時識別子ＲＮＴＩ、又は前記制御シグナリングに用いられるスクランブリングコードが、データタイプ指示情報を含み、前記制御シグナリングが正しく受信された後で、前記方法は、
前記データタイプ指示情報に対応するリソース上でデータを受信するステップをさらに含む、
請求項１〜６のいずれか１項に記載の方法。
【請求項８】
前記制御シグナリング及びデータは、同じサブフレームにあり、
前記制御シグナリングはＬを含み、又は前記制御シグナリングはＳ０及び／又はＬを含み、ここでＳ０は、前記制御シグナリングのリソースエンド位置と、前記データのリソーススタート位置との間の区間であり、Ｌは前記データの長さである
請求項１〜６のいずれか１項に記載の方法。
【請求項９】
前記エンドツーエンド通信デバイスは受信端デバイスであり、前記制御シグナリングが正しく受信された後で、前記方法は、
前記制御シグナリングがＳ０及びＬを含む場合に、Ｓ１＋Ｓ０とＳ１＋Ｓ０＋Ｌとの間のリソース区間内で前記データを受信するステップであって、ここでＳ１は、前記制御シグナリングの前記リソースエンド位置である、ステップ、
前記制御シグナリングがＬを含む場合に、Ｓ１＋１とＳ１＋１＋Ｌとの間のリソース区間内で前記データを受信するステップ、又は
前記制御シグナリングがＳ０を含む場合に、Ｓ１＋Ｓ０とＳ１＋Ｓ０＋Ｌとの間のリソース区間内で前記データを受信するステップをさらに含み、ここでＬは固定値である、
請求項８に記載の方法。
【請求項１０】
Ｓ１＋Ｓ０とＳ１＋Ｓ０＋Ｌとの間の前記リソース区間、又はＳ１＋１とＳ１＋１＋Ｌとの間の前記リソース区間は、１つのリソースプールの中で位置決めされるか、
Ｓ１＋Ｓ０とＳ１＋Ｓ０＋Ｌとの間の前記リソース区間、又はＳ１＋１とＳ１＋１＋Ｌとの間の前記リソース区間は、リソースプールの２つのエンドに位置決めされるか、又は
Ｓ１＋Ｓ０とＳ１＋Ｓ０＋Ｌとの間の前記リソース区間、又はＳ１＋１とＳ１＋１＋Ｌとの間の前記リソース区間は、２つのリソースプールの中で位置決めされる
請求項９に記載の方法。
【請求項１１】
前記制御シグナリング及びデータは、時分割多重化方式でリソースを共有し、
前記予め設定されたルールは、前記リソースサブセットが、参照信号によって占有されるシンボルに近接した、前記データを送信するために用いられるリソースブロックＲＢペアにおけるＮ個のシンボルであることを含み、ここでＮは１以上である
請求項２に記載の方法。
【請求項１２】
前記エンドツーエンド通信デバイスは送信端デバイスであり、前記送信位置で前記制御シグナリングを送信する前記ステップは、
Ｎが１よりも大きい場合に、前記制御シグナリングを、フィールド優先度の降順で第１の部分から第Ｎの部分に分割するステップと、
前記送信位置で、前記第１の部分から前記第Ｎの部分を、前記部分と前記参照信号によって占有される前記シンボルとの間の距離の昇順で送信するステップと
を含む、請求項１１に記載の方法。
【請求項１３】
前記データは、周波数ドメインにおいてＸ個のＲＢペアを占有する必要があり、前記制御シグナリングは、周波数ドメインにおいてＹ個のリソースブロックＲＢペアを占有する必要があり、ＹはＸ以下である
請求項１１又は１２に記載の方法。
【請求項１４】
前記エンドツーエンド通信デバイスは送信端デバイスであり、前記制御シグナリング及び前記データは同じサブフレームにあり、前記リソースサブセットにおいて前記制御シグナリングの送信位置を決定する前記ステップ及び前記送信位置で前記制御シグナリングを送信するステップの後で、前記方法は、
ＹがＸに等しい場合に、前記制御シグナリングによって占有される前記ＲＢペアにおいて、前記参照信号によって及び前記制御シグナリングによって占有されるリソースエレメントＲＥ以外のＲＥ上で、前記データを送信するステップ、又は
ＹがＸよりも小さい場合に、前記制御シグナリングによって占有される前記ＲＢペアにおいて、前記参照信号によって及び前記制御シグナリングによって占有されるＲＥ以外のＲＥ上で、前記データの一部を送信するステップ、及び残りのＲＢペアを使用することによって前記データの残りの部分を送信するステップをさらに含む、
請求項１３に記載の方法。
【請求項１５】
前記エンドツーエンド通信デバイスは受信端デバイスであり、前記制御シグナリングは前記データの長さＬを含み、前記制御シグナリングが正しく受信された後で、前記方法は、
前記データの送信リソースが前記制御シグナリングの送信リソースの周波数よりも高い周波数であるように予め設定されている場合に、前記高い周波数を使用することによって、前記制御シグナリングのリソーススタート位置又はエンド位置で、その長さがＬである前記データを受信するステップ、又は
前記データの送信リソースが前記制御シグナリングの送信リソースの周波数よりも低い周波数であるように予め設定されている場合に、前記低い周波数を使用することによって、前記制御シグナリングのリソーススタート位置又はエンド位置で、その長さがＬである前記データを受信するステップをさらに含む、
請求項１１〜１４のいずれか１項に記載の方法。
【請求項１６】
前記エンドツーエンド通信デバイスは受信端デバイスであり、前記制御シグナリングは前記データの長さＬ及び方向指示情報を含み、前記制御シグナリングが正しく受信された後で、前記方法は、
前記方向指示情報が高周波数方向を指し示す場合に、高周波数を使用することによって、前記制御シグナリングのリソーススタート位置又はエンド位置で、その長さがＬである前記データを受信するステップ、又は
前記方向指示情報が低周波数方向を指し示す場合に、低周波数を使用することによって、前記制御シグナリングのリソーススタート位置又はエンド位置で、その長さがＬである前記データを受信するステップをさらに含む、
請求項１１〜１４のいずれか１項に記載の方法。
【請求項１７】
前記制御シグナリングは、前記残りのＲＢペアにおいて参照信号識別子を含む
請求項１１〜１６のいずれか１項に記載の方法。
【請求項１８】
前記エンドツーエンド通信デバイスは受信端デバイスであり、前記制御シグナリングは前記残りのＲＢペアにおいて参照信号識別子を含み、前記制御シグナリングが正しく受信された後で、前記方法は、
前記制御シグナリングによって占有される前記ＲＢペアにおいて、前記参照信号によって及び前記制御シグナリングによって占有される前記ＲＥ以外の前記ＲＥ上で、前記データの前記部分を受信するステップと、
前記残りのＲＢペアにおける前記参照信号識別子によって指し示されたＲＢペアにおいて、前記参照信号によって占有されるＲＥ以外のＲＥ上で、前記データの前記残りの部分を受信するステップとをさらに含む、
請求項１１〜１６のいずれか１項に記載の方法。
【請求項１９】
前記制御シグナリングは、スケジューリングアサインメントＳＡ又はブロードキャストメッセージである
請求項１〜１８のいずれか１項に記載の方法。
【請求項２０】
制御シグナリングを送信するために用いられるリソースサブセットを決定するように構成された決定ユニットであって、前記リソースサブセットは前記制御シグナリングを送信するために用いられるリソースプールに属する、決定ユニット、及び
前記決定ユニットによって決定された前記リソースサブセットにおいて前記制御シグナリングの送信位置を決定し、かつ前記送信位置で前記制御シグナリングを送信するように構成された送信ユニット、又は、前記決定ユニットによって決定された前記リソースサブセットにおいてブラインド制御シグナリング検出を実行するように構成された検出ユニットを含む、制御シグナリング送信デバイス。
【請求項２１】
前記決定ユニットは、予め設定されたルールに基づいて前記リソースサブセットを決定するように特に構成される
請求項２０に記載のデバイス。
【請求項２２】
前記予め設定されたルールは、前記リソースサブセットが指定されたリソースセットであること、を含む
請求項２１に記載のデバイス。
【請求項２３】
前記決定ユニットは、
プリセットパラメータに基づいて前記リソースサブセットを決定するように特に構成され、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項２０に記載のデバイス。
【請求項２４】
前記決定ユニットは、
前記プリセットパラメータが１つのパラメータである場合には、前記リソースサブセットが、前記プリセットパラメータに対応する、第１のプリセットの対応関係におけるリソース又はリソースパターン番号であること、を決定し、ここで、前記第１のプリセットの対応関係は、少なくとも１つのプリセットパラメータと、前記少なくとも１つのプリセットパラメータとの１対１対応におけるリソース又はリソースパターン番号とを含み、又は
前記プリセットパラメータが複数のパラメータである場合には、前記リソースサブセットが、前記プリセットパラメータの全部のパラメータに対応する、前記第１のプリセットの対応関係におけるリソース又はリソースパターン番号の共通集合であることを決定する、ように特に構成される
請求項２３に記載のデバイス。
【請求項２５】
前記決定ユニットは、
前記プリセットパラメータが１つのパラメータである場合には、前記リソースサブセットが、前記プリセットパラメータが満たす予め設定された条件に対応する、第２のプリセットの対応関係におけるリソース又はリソースパターン番号であること、を決定し、ここで、前記第２のプリセットの対応関係は、少なくとも１つの予め設定された条件と、前記少なくとも１つの予め設定された条件との１対１対応におけるリソース又はリソースパターン番号とを含み、又は
前記プリセットパラメータが複数のパラメータである場合には、前記リソースサブセットが、前記複数のパラメータの各々が満たす予め設定された条件に対応する、前記第２のプリセットの対応関係におけるリソース又はリソースパターン番号の共通集合であること、を決定する、ように特に構成される
請求項２３に記載のデバイス。
【請求項２６】
前記デバイスは受信端デバイスであり、前記制御シグナリング、前記制御シグナリングに用いられる無線ネットワーク一時識別子ＲＮＴＩ、又は前記制御シグナリングに用いられるスクランブリングコードが、データタイプ指示情報を含み、前記デバイスは、
前記データタイプ指示情報に対応するリソース上でデータを受信するように構成された受信ユニットをさらに含む
請求項２０〜２５のいずれか１項に記載のデバイス。
【請求項２７】
前記制御シグナリング及びデータは、同じサブフレームにあり、
前記制御シグナリングはＬを含み、又は前記制御シグナリングはＳ０及び／又はＬを含み、ここでＳ０は、前記制御シグナリングのリソースエンド位置と、前記データのリソーススタート位置との間の区間であり、Ｌは前記データの長さである
請求項２０〜２５のいずれか１項に記載のデバイス。
【請求項２８】
前記デバイスは受信端デバイスであり、前記デバイスは、
前記制御シグナリングがＳ０及びＬを含む場合には、Ｓ１＋Ｓ０とＳ１＋Ｓ０＋Ｌとの間のリソース区間内で前記データを受信し、ここでＳ１は、前記制御シグナリングの前記リソースエンド位置であり、
前記制御シグナリングがＬを含む場合には、Ｓ１＋１とＳ１＋１＋Ｌとの間のリソース区間内で前記データを受信し、又は
前記制御シグナリングがＳ０を含む場合には、Ｓ１＋Ｓ０とＳ１＋Ｓ０＋Ｌとの間のリソース区間内で前記データを受信する、ように構成される受信ユニットをさらに含み、ここでＬは固定値である
請求項２７に記載のデバイス。
【請求項２９】
Ｓ１＋Ｓ０とＳ１＋Ｓ０＋Ｌとの間の前記リソース区間、又はＳ１＋１とＳ１＋１＋Ｌとの間の前記リソース区間は、１つのリソースプールの中で位置決めされるか、
Ｓ１＋Ｓ０とＳ１＋Ｓ０＋Ｌとの間の前記リソース区間、又はＳ１＋１とＳ１＋１＋Ｌとの間の前記リソース区間は、リソースプールの２つのエンドに位置決めされるか、又は
Ｓ１＋Ｓ０とＳ１＋Ｓ０＋Ｌとの間の前記リソース区間、又はＳ１＋１とＳ１＋１＋Ｌとの間の前記リソース区間は、２つのリソースプールの中で位置決めされる
請求項２８に記載のデバイス。
【請求項３０】
前記制御シグナリング及びデータは、時分割多重化方式でリソースを共有し、
前記予め設定されたルールは、前記リソースサブセットが、参照信号によって占有されるシンボルに近接した、前記データを送信するために用いられるリソースブロックＲＢペアにおけるＮ個のシンボルであること、を含み、ここでＮは１以上である
請求項２１に記載のデバイス。
【請求項３１】
前記デバイスは送信端デバイスであり、前記送信ユニットは、
Ｎが１よりも大きい場合に、前記制御シグナリングを、フィールド優先度の降順で第１の部分から第Ｎの部分に分割し、
前記送信位置で、前記第１の部分から前記第Ｎの部分を、前記部分と前記参照信号によって占有される前記シンボルとの間の距離の昇順で送信する、ように特に構成される
請求項３０に記載のデバイス。
【請求項３２】
前記データは、周波数ドメインにおいてＸ個のＲＢペアを占有する必要があり、前記制御シグナリングは、周波数ドメインにおいてＹ個のリソースブロックＲＢペアを占有する必要があり、ＹはＸ以下である
請求項３０又は３１に記載のデバイス。
【請求項３３】
前記デバイスは送信端デバイスであり、前記制御シグナリング及び前記データは同じサブフレームにあり、前記送信ユニットは、
ＹがＸに等しい場合には、前記制御シグナリングによって占有される前記ＲＢペアにおいて、前記参照信号によって及び前記制御シグナリングによって占有されるリソースエレメントＲＥ以外のＲＥ上で、前記データを送信し、又は
ＹがＸよりも小さい場合には、前記制御シグナリングによって占有される前記ＲＢペアにおいて、前記参照信号によって及び前記制御シグナリングによって占有されるＲＥ以外のＲＥ上で、前記データの一部を送信し、かつ残りのＲＢペアを使用することによって前記データの残りの部分を送信する、ように特に構成される
請求項３２に記載のデバイス。
【請求項３４】
前記デバイスは受信端デバイスであり、前記制御シグナリングは前記データの長さＬを含み、前記デバイスは、
前記データの送信リソースが前記制御シグナリングの送信リソースの周波数よりも高い周波数であるように予め設定されている場合には、前記高い周波数を使用することによって、前記制御シグナリングのリソーススタート位置又はエンド位置で、その長さがＬである前記データを受信し、又は
前記データの送信リソースが前記制御シグナリングの送信リソースの周波数よりも低い周波数であるように予め設定されている場合には、前記低い周波数を使用することによって、前記制御シグナリングのリソーススタート位置又はエンド位置で、その長さがＬである前記データを受信する、ように構成された受信ユニットをさらに含む
請求項３０〜３３のいずれか１項に記載のデバイス。
【請求項３５】
前記デバイスは受信端デバイスであり、前記制御シグナリングは前記データの長さＬ及び方向指示情報を含み、前記デバイスは、
前記方向指示情報が高周波数方向を指し示す場合には、高周波数を使用することによって、前記制御シグナリングのリソーススタート位置又はエンド位置で、その長さがＬである前記データを受信し、又は
前記方向指示情報が低周波数方向を指し示す場合には、低周波数を使用することによって、前記制御シグナリングのリソーススタート位置又はエンド位置で、その長さがＬである前記データを受信する、ように構成された受信ユニットをさらに含む
請求項３０〜３３のいずれか１項に記載のデバイス。
【請求項３６】
前記制御シグナリングは、前記残りのＲＢペアにおいて参照信号識別子を含む
請求項３０〜３５のいずれか１項に記載のデバイス。
【請求項３７】
前記デバイスは受信端デバイスであり、前記制御シグナリングは前記残りのＲＢペアにおいて参照信号識別子を含み、前記送信ユニットは、
前記制御シグナリングによって占有される前記ＲＢペアにおいて、前記参照信号によって及び前記制御シグナリングによって占有される前記ＲＥ以外の前記ＲＥ上で、前記データの前記部分を受信し、
前記残りのＲＢペアにおける前記参照信号識別子によって指し示されたＲＢペアにおいて、前記参照信号によって占有されるＲＥ以外のＲＥ上で、前記データの前記残りの部分を受信する、ように特に構成される
請求項３０〜３５のいずれか１項に記載のデバイス。
【請求項３８】
前記制御シグナリングは、スケジューリングアサインメントＳＡ又はブロードキャストメッセージである
請求項２０〜３７のいずれか１項に記載のデバイス。
【発明の詳細な説明】
【技術分野】
【０００１】
本発明は、通信分野に関し、詳細には、制御シグナリング送信の方法及びデバイスに関する。
【背景技術】
【０００２】
ワイヤレス通信の急速な発展及び超高速サービス（例えば、high-definition video）の出現に伴い、ワイヤレス通信ネットワークの負荷が増加しており、それに応じて、エンドツーエンド通信が出現している。エンドツーエンド通信において、端末は、基地局によって実施される転送なしに互いに直接通信してよく、それによって、基地局のデータ負荷を削減する。エンドツーエンド通信は、デバイスツーデバイス（Ｄｅｖｉｃｅ  ｔｏ  Ｄｅｖｉｃｅ、略してＤ２Ｄ）通信、ビークルツーエブリシング（Ｖｅｈｉｃｌｅ−ｔｏ−Ｅｖｅｒｙｔｈｉｎｇ、略してＶ２Ｘ）通信、マシンツーマシン（Ｍａｃｈｉｎｅ  ｔｏ  Ｍａｃｈｉｎｅ、略してＭ２Ｍ）通信、又は他の通信を含む。
【０００３】
エンドツーエンドデバイス通信において、送信端デバイスは、物理サイドリンク制御チャネル（Ｐｈｙｓｉｃａｌ  Ｓｉｄｅｌｉｎｋ  Ｃｏｎｔｒｏｌ  Ｃｈａｎｎｅｌ、略してＰＳＣＣＨ）上で搬送される制御シグナリング（例えば、スケジューリングアサインメント（Ｓｃｈｅｄｕｌｉｎｇ  Ａｓｓｉｇｎｍｅｎｔ、略してＳＡ）、及び（物理サイドリンク共有チャネル（Ｐｈｙｓｉｃａｌ  Ｓｉｄｅｌｉｎｋ  Ｓｈａｒｅｄ  Ｃｈａｎｎｅｌ、略してＰＳＳＣＨ）上で搬送される）データを、受信端デバイスに送信し、受信端は、最初にブラインド制御シグナリング検出を実施し、制御シグナリングが正しく受信され、制御シグナリングに含まれる宛先識別子（アイデンティフィケーション、略してＩＤ）が受信端デバイスのＩＤリストにおける少なくとも１つのＩＤと一致する場合に、制御シグナリングにおいて搬送されるデータ関連情報に基づいてデータを受信して、エンドツーエンド通信を実現する。
【０００４】
エンドツーエンドデバイス通信においては、制御シグナリング及びデータを送信するために用いられるリソースを割り当てる２つの方法が存在する。１つの方法は、中央制御デバイスがスケジュールする方法でリソースプール（予め設定された隣接リソースブロック）から送信端デバイスにリソースを割り当てる、集中制御型の方法である。もう１つの方法は、送信端デバイスが競合ベースの方法でリソースプール（基地局又は予め定義されたシステム帯域幅によって割り当てられた隣接リソースブロック）からリソースを取得する、競合ベースの方法である。
【０００５】
現在、受信端デバイスは、リソースプールにおけるすべての位置でブラインド制御シグナリング検出を実施し、ブラインド検出は何回も実施されている。結果として、エンドツーエンド通信においては、受信端デバイスが、激しい復調／復号負荷、比較的大量のブラインド検出／ブラインド復号回数、比較的大きな電力消費、及び比較的高い実装複雑性を有する。
【発明の概要】
【０００６】
本発明の実施形態は、エンドツーエンド通信における受信端デバイスの復調／復号負荷、検出／ブラインド復号回数の量、電力消費、及び実装複雑性を削減するために、制御シグナリング送信の方法及びデバイスを提供する。
【０００７】
上記の目的を達成するために、以下の技術的ソリューションが、本発明の実施形態において用いられる。
【０００８】
第１の態様によれば、制御シグナリング送信方法が提供され、方法は、エンドツーエンド通信デバイスに適用され、
制御シグナリングを送信するために用いられるリソースサブセットを決定するステップであって、リソースサブセットは制御シグナリングを送信するために用いられるリソースプールに属する、ステップ、及び
リソースサブセットにおいて制御シグナリングの送信位置を決定するステップ及び送信位置で制御シグナリングを送信するステップ、又は、リソースサブセットにおいてブラインド制御シグナリング検出を実行するステップを含む。
【０００９】
エンドツーエンド通信デバイスは、エンドツーエンド通信における送信端デバイス又は受信端デバイスであってよい。デバイスは、この明細書においてエンドツーエンド通信デバイスと呼ばれ、代替として別の名前を有してもよい。
【００１０】
任意選択で、エンドツーエンド通信は、Ｄ２Ｄ通信、Ｖ２Ｘ通信、Ｍ２Ｍ、又は基地局が転送を実行する必要のない別の通信モードを含んでもよい。エンドツーエンド通信の特定の形態は、本発明において限定されない。
【００１１】
任意選択で、リソースプールは、基地局によるスケジューリングの下で制御シグナリングを送信するために使用されうるリソース区間全体であるか、リソースプールは、制御シグナリングを送信するために使用されうる、基地局による分割に基づいたリソース区間全体であるか、又はリソースプールは、制御シグナリングを送信するために使用されうる、予め設定されたリソース区間全体である。
【００１２】
このようにして、送信端デバイスは、決定されたリソースサブセットにおいて、制御シグナリングを送信するための位置を選択し、その位置で制御シグナリングをピアエンドに送信し、それによって、制御シグナリングの送信位置をリソースサブセット内であるように制御し、受信端デバイスは、決定されたリソースサブセットにおいてブラインド制御シグナリング検出を実行する。送信端デバイス及び受信端デバイスは互いに協調し、それにより、制御シグナリングは、リソースサブセット内で送信される（送られるか、又はブラインド検出を通じて受信される）。リソースプール全体においてブラインド制御シグナリング検出が実施される先行技術と比較して、第１の態様は、負荷を大幅に削減し、検出の正しいことの確率を増加させ、実装複雑性を削減する。
【００１３】
第１の態様に関連し、第１の態様の第１の可能な実装形態において、
制御シグナリングを送信するために用いられるリソースサブセットを決定するステップは、予め設定されたルールに基づいてリソースサブセットを決定するステップを含む。
【００１４】
予め設定されたルールは、予め定義されたリソースサブセットである。
【００１５】
第１の態様の第１の可能な実装形態に関連し、第１の態様の第２の可能な実装形態において、予め設定されたルールは、リソースサブセットが指定されたリソースセットであることを含む。
【００１６】
第１の態様の第２の可能な実装形態において、制御シグナリングを送信するために用いられるリソースセットは、リソースサブセットとして予め定義される。
【００１７】
第１の態様に関連し、第１の態様の第３の可能な実装形態において、
制御シグナリングを送信するために用いられるリソースサブセットを決定するステップは、プリセットパラメータに基づいてリソースサブセットを決定するステップを含み、プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【００１８】
第１の態様の第３の可能な実装形態において、リソースサブセットを決定するための方法では、リソースサブセットは、プリセットパラメータが決定されているという前提で決定されうる。
【００１９】
プリセットパラメータは、ハンドシェイク手順において基地局との対話を通じて取得されてもよいし、又はプリセットパラメータは、予め設定されてもよいことが留意されるべきである。プリセットパラメータを取得する方法は、本発明において特に限定されない。
【００２０】
第１の態様の第３の可能な実装形態に関連し、第１の態様の第４の可能な実装形態において、
プリセットパラメータに基づいてリソースサブセットを決定するステップは、
プリセットパラメータが１つのパラメータである場合に、リソースサブセットが、プリセットパラメータに対応する、第１のプリセットの対応関係におけるリソース又はリソースパターン番号であることを決定するステップであって、第１のプリセットの対応関係は、少なくとも１つのプリセットパラメータと、少なくとも１つのプリセットパラメータとの１対１対応におけるリソース又はリソースパターン番号とを含む、ステップ、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定するステップを含む。
【００２１】
特に、第１の態様の第４の可能な実装形態は、第１の態様の第３の可能な実装形態の特定の実装手段である。第１のプリセットの対応関係を予め設定することによって、プリセットパラメータに対応するリソース又はリソースパターン番号は、プリセットパラメータが取得されているという前提で第１のプリセットの対応関係から取得されてよく、リソース又はリソースパターン番号は、リソースサブセットとして用いられる。
【００２２】
第１の態様の第３の可能な実装形態に関連し、第１の態様の第５の可能な実装形態において、
プリセットパラメータに基づいてリソースサブセットを決定するステップは、
プリセットパラメータが１つのパラメータである場合に、リソースサブセットが、プリセットパラメータが満たす予め設定された条件に対応する、第２のプリセットの対応関係におけるリソース又はリソースパターン番号であることを決定するステップであって、第２のプリセットの対応関係は、少なくとも１つの予め設定された条件と、少なくとも１つの予め設定された条件との１対１対応におけるリソース又はリソースパターン番号とを含む、ステップ、又は
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定するステップを含む。
【００２３】
特に、第１の態様の第５の可能な実装形態は、第１の態様の第３の可能な実装形態の特定の実装手段である。第２のプリセットの対応関係を予め設定することによって、プリセットパラメータが予め設定された条件を満たすかどうかが、プリセットパラメータが取得されているという前提で第２のプリセットの対応関係において決定されてよく、予め設定された条件が満たされるとき、満たされた予め設定された条件に対応するリソース又はリソースパターン番号が取得され、リソースサブセットとして使用されてよい。
【００２４】
第１の態様、又は第１の態様の第１の可能な実装形態から第１の態様の第５の可能な実装形態のいずれか１つに関連し、第１の態様の第６の可能な実装形態において、
エンドツーエンド通信デバイスは受信端デバイスであり、制御シグナリング、制御シグナリングに用いられる無線ネットワーク一時識別子（Ｒａｄｉｏ  Ｎｅｔｗｏｒｋ  Ｔｅｍｐｏｒａｒｙ  Ｉｄｅｎｔｉｔｙ、略してＲＮＴＩ）、又は制御シグナリングに用いられるスクランブリングコードが、データタイプ指示情報を含み、制御シグナリングが正しく受信された後で、方法は、
データタイプ指示情報に対応するリソース上でデータを受信するステップをさらに含む。
【００２５】
特に、エンドツーエンド通信において、送信端デバイスは、ピアエンドに制御シグナリングを送信することに加えて、ピアエンドにデータを送信する。第１の態様の第６の可能な実装形態は、エンドツーエンド通信デバイスが受信端デバイスであるときのデータ受信の実装形態を提供する。
【００２６】
第１の態様、又は第１の態様の第１の可能な実装形態から第１の態様の第５の可能な実装形態のいずれか１つに関連し、第１の態様の第７の可能な実装形態において、
制御シグナリング及びデータは、同じサブフレームにあり、
制御シグナリングはＬを含み、又は制御シグナリングはＳ０及び／又はＬを含み、
ここでＳ０は、制御シグナリングのリソースエンド位置と、データのリソーススタート位置との間の区間であり、Ｌはデータの長さである。
【００２７】
特に、第１の態様の第７の可能な実装形態において、制御シグナリング及びデータが同じサブフレームにおいて周波数分割多重化する方法でリソースを共有する場合、Ｓ０は、周波数ドメインにおける制御シグナリングのリソースエンド位置と、周波数ドメインにおけるデータのリソーススタート位置との間の区間であり、ここでＬは、周波数ドメインにおけるデータの長さである。
【００２８】
特に、第１の態様の第７の可能な実装形態において、制御シグナリング及びデータが同じサブフレームにおいて時分割多重化方式でリソースを共有する場合、Ｓ０は、時間ドメインにおける制御シグナリングのリソースエンド位置と、時間ドメインにおけるデータのリソーススタート位置との間の区間であり、ここでＬは、時間ドメインにおけるデータの長さである。
【００２９】
さらに、第１の態様の第７の可能な実装形態において、制御シグナリング及びデータが、同じサブフレームにあり、かつ連続的であるとき、制御シグナリングは、Ｌのみを含んでよい。
【００３０】
さらに、第１の態様の第７の可能な実装形態において、制御シグナリング及びデータが同じサブフレームにあり、Ｌが固定値であるとき、制御シグナリングは、Ｓ０のみを含んでよい。
【００３１】
第１の態様の第７の可能な実装形態に関連し、第１の態様の第８の可能な実装形態において、
エンドツーエンド通信デバイスは受信端デバイスであり、制御シグナリングが正しく受信された後で、方法は、
制御シグナリングがＳ０及びＬを含む場合に、Ｓ１＋Ｓ０とＳ１＋Ｓ０＋Ｌとの間のリソース区間内でデータを受信するステップであって、ここでＳ１は、制御シグナリングのリソースエンド位置である、ステップ、
制御シグナリングがＬを含む場合に、Ｓ１＋１とＳ１＋１＋Ｌとの間のリソース区間内でデータを受信するステップ、又は
制御シグナリングがＳ０を含む場合に、Ｓ１＋Ｓ０とＳ１＋Ｓ０＋Ｌとの間のリソース区間内でデータを受信するステップをさらに含み、ここでＬは固定値である。
【００３２】
第１の態様の第７の可能な実装形態に基づいて、第１の態様の第８の可能な実装形態は、エンドツーエンド通信デバイスが受信端デバイスであるときのデータ受信の実装形態を提供する。
【００３３】
第１の態様の第８の可能な実装形態に関連し、第１の態様の第９の可能な実装形態において、
Ｓ１＋Ｓ０とＳ１＋Ｓ０＋Ｌとの間のリソース区間、又はＳ１＋１とＳ１＋１＋Ｌとの間のリソース区間は、１つのリソースプールの中で位置決めされるか、
Ｓ１＋Ｓ０とＳ１＋Ｓ０＋Ｌとの間のリソース区間、又はＳ１＋１とＳ１＋１＋Ｌとの間のリソース区間は、リソースプールの２つのエンドに位置決めされるか、又は
Ｓ１＋Ｓ０とＳ１＋Ｓ０＋Ｌとの間のリソース区間、又はＳ１＋１とＳ１＋１＋Ｌとの間のリソース区間は、２つのリソースプールの中で位置決めされる。
【００３４】
特に、第１の態様の第９の可能な実装形態において、リソースプールの中のＳ１＋Ｓ０とＳ１＋Ｓ０＋Ｌとの間のリソース区間の位置、又はリソースプールの中のＳ１＋１とＳ１＋１＋Ｌとの間のリソース区間の位置は、データ及びデータ長によって占有されるリソーススタート位置によって決定される。
【００３５】
さらに、リソースプールの中のＳ１＋Ｓ０とＳ１＋Ｓ０＋Ｌとの間のリソース区間の位置、又はリソースプールの中のＳ１＋１とＳ１＋１＋Ｌとの間のリソース区間の位置が、送信端デバイスによってデータを送信するための位置、及び受信端デバイスによってデータを受信するための位置を決定する。
【００３６】
第１の態様の第１の可能な実装形態に関連し、第１の態様の第１０の可能な実装形態において、
制御シグナリング及びデータは、時分割多重化方式でリソースを共有し、
予め設定されたルールは、リソースサブセットが、参照信号によって占有されるシンボルに近接した、データを送信するために用いられるリソースブロック（Ｒｅｓｏｕｒｃｅ  Ｂｌｏｃｋ、略してＲＢ）ペアにおけるＮ個のシンボルであることを含み、ここでＮは１以上である。
【００３７】
データを送信するために用いられるＲＢペアは、送信されるべきデータのサイズに基づいて、及びデータを送信するために使用されうる、予め定義されたＲＢペアにおけるリソースに基づいて、送信端デバイスによって決定される。工程は、本発明において詳述されない。
【００３８】
任意選択で、送信端デバイスは、エンドツーエンド通信における基地局であってもよいし、又は送信端デバイスは、エンドツーエンド通信における送信端末であってもよい。
【００３９】
さらに、送信端端末が基地局であるとき、基地局は、送信端末を使用することによって、制御シグナリング及びデータを受信端末に送信する。
【００４０】
第１の態様の第１０の可能な実装形態に関連し、第１の態様の第１１の可能な実装形態において、
エンドツーエンド通信デバイスは送信端デバイスであり、送信位置で制御シグナリングを送信するステップは、
Ｎが１よりも大きい場合に、制御シグナリングを、フィールド優先度の降順で第１の部分から第Ｎの部分に分割するステップと、
送信位置で、第１の部分から第Ｎの部分を、その部分と参照信号によって占有されるシンボルとの間の距離の昇順で送信するステップとを含む。
【００４１】
第１の態様の第１０の可能な実装形態又は第１の態様の第１１の可能な実装形態に関連し、第１の態様の第１２の可能な実装形態において、
データは、周波数ドメインにおいてＸ個のＲＢペアを占有する必要があり、制御シグナリングは、周波数ドメインにおいてＹ個のＲＢペアを占有する必要があり、ＹはＸ以下である。
【００４２】
Ｎの特定の値は、Ｘ及びＹの値に依存している。
【００４３】
Ｘの特定の値は、送信されるべきデータのサイズ、及びデータを送信するために用いられる１つのＲＢペアにおけるリソースのサイズに依存している。
【００４４】
Ｙの特定の値は、制御シグナリングのサイズ、及び制御シグナリングを送信するために用いられる１つのＲＢペアにおけるリソースのサイズに依存している。
【００４５】
さらに、データを送信するために用いられる１つのＲＢペアにおけるリソースのサイズ、及び制御シグナリングを送信するために用いられる１つのＲＢペアにおけるリソースのサイズは、プロトコルにおいて予め設定されていてよく、通信におけるパーティによって知られている。
【００４６】
第１の態様の第１２の可能な実装形態に関連し、第１の態様の第１３の可能な実装形態において、
エンドツーエンド通信デバイスは送信端デバイスであり、制御シグナリング及びデータは同じサブフレームにあり、リソースサブセットにおいて制御シグナリングの送信位置を決定するステップ及び送信位置で制御シグナリングを送信するステップの後で、方法は、
ＹがＸに等しい場合に、制御シグナリングによって占有されるＲＢペアにおいて、参照信号によって及び制御シグナリングによって占有されるリソースエレメントＲＥ（Ｒｅｓｏｕｒｃｅ  Ｅｌｅｍｅｎｔ、略してＲＥ）以外のＲＥ上で、データを送信するステップ、又は
ＹがＸよりも小さい場合に、制御シグナリングによって占有されるＲＢペアにおいて、参照信号によって及び制御シグナリングによって占有されるＲＥ以外のＲＥ上で、データの一部を送信するステップ、及び残りのＲＢペアを使用することによってデータの残りの部分を送信するステップをさらに含む。
【００４７】
任意選択で、残りのＲＢペアと、制御シグナリングによって占有されるＲＢペアとは、連続的であってもよいし、又は不連続であってもよい。これは、本発明において特に限定されない。
【００４８】
第１の態様の第１０の可能な実装形態から第１の態様の第１３の可能な実装形態のいずれか１つに関連し、第１の態様の第１４の可能な実装形態において、
エンドツーエンド通信デバイスは受信端デバイスであり、制御シグナリングはデータの長さＬを含み、制御シグナリングが正しく受信された後で、方法は、
データの送信リソースが制御シグナリングの送信リソースの周波数よりも高い周波数であるように予め設定されている場合に、その高い周波数を使用することによって、制御シグナリングのリソーススタート位置又はエンド位置で、その長さがＬであるデータを受信するステップ、又は
データの送信リソースが制御シグナリングの送信リソースの周波数よりも低い周波数であるように予め設定されている場合に、その低い周波数を使用することによって、制御シグナリングのリソーススタート位置又はエンド位置で、その長さがＬであるデータを受信するステップをさらに含む。
【００４９】
データの送信リソースと制御シグナリングの送信リソースとの相対位置の関係は、予め定義されていてよい。具体的には、データの送信リソースは、制御シグナリングの送信リソースの周波数よりも高い周波数、又はそれよりも低い周波数であるように予め定義される。予め定義された内容は、本発明において特に限定されない。
【００５０】
第１の態様の第１０の可能な実装形態から第１の態様の第１３の可能な実装形態のいずれか１つに関連し、第１の態様の第１５の可能な実装形態において、
エンドツーエンド通信デバイスは受信端デバイスであり、制御シグナリングはデータの長さＬ及び方向指示情報を含み、制御シグナリングが正しく受信された後で、方法は、
方向指示情報が高周波数方向を指し示す場合に、高周波数を使用することによって、制御シグナリングのリソーススタート位置又はエンド位置で、その長さがＬであるデータを受信するステップ、又は
方向指示情報が低周波数方向を指し示す場合に、低周波数を使用することによって、制御シグナリングのリソーススタート位置又はエンド位置で、その長さがＬであるデータを受信するステップをさらに含む。
【００５１】
特に、第１の態様の第１４の可能な実装形態又は第１の態様の第１５の可能な実装形態において、データが、制御シグナリングのリソーススタート位置に基づいて受信されるのか、それとも制御シグナリングのリソースエンド位置に基づいて受信されるのかは、リソース番号に対応するリソースの周波数方向に依存している。これは、本発明において特に限定されない。
【００５２】
第１の態様の第１０の可能な実装形態から第１の態様の第１５の可能な実装形態のいずれか１つに関連し、第１の態様の第１６の可能な実装形態において、
制御シグナリングは、残りのＲＢペアにおいて参照信号識別子を含む。
【００５３】
さらに、送信端デバイスがデータを送信するとき、データが残りのＲＢペアを使用することによって送られる場合に、残りのＲＢペアにおける参照信号識別子は、制御シグナリングに追加される必要があり、かつ残りのＲＢペアにおける参照信号識別子に基づいて残りのＲＢペアからデータを受信するよう受信端デバイスに命令するために用いられる。
【００５４】
第１の態様の第１０の可能な実装形態から第１の態様の第１５の可能な実装形態のいずれか１つに関連し、第１の態様の第１７の可能な実装形態において、
エンドツーエンド通信デバイスは受信端デバイスであり、制御シグナリングは残りのＲＢペアにおいて参照信号識別子を含み、制御シグナリングが正しく受信された後で、方法は、
制御シグナリングによって占有されるＲＢペアにおいて、参照信号によって及び制御シグナリングによって占有されるＲＥ以外のＲＥ上で、データの一部を受信するステップと、
残りのＲＢペアにおける参照信号識別子によって指し示されたＲＢペアにおいて、参照信号によって占有されるＲＥ以外のＲＥ上で、データの残りの部分を受信するステップとをさらに含む。
【００５５】
第１の態様、又は第１の態様の第１の可能な実装形態から第１の態様の第１７の可能な実装形態のいずれか１つに関連し、第１の態様の第１８の可能な実装形態において、
制御シグナリングは、ＳＡ又はブロードキャストメッセージである。
【００５６】
さらに、制御シグナリングは、代替として、物理サイドリンクブロードキャストチャネル（Ｐｈｙｓｉｃａｌ  Ｓｉｄｅｌｉｎｋ  Ｂｒｏａｄｃａｓｔ  Ｃｈａｎｎｅｌ、略してＰＳＢＣＨ）であってもよい。制御シグナリングのタイプは、本発明において限定されず、エンドツーエンド通信において送信端デバイスによってピアエンドに送られるすべての制御型シグナリングが、本発明において説明される制御シグナリングである。
【００５７】
第２の態様によれば、制御シグナリング送信デバイスが提供され、デバイスは、
制御シグナリングを送信するために用いられるリソースサブセットを決定するように構成された決定ユニットであって、リソースサブセットは制御シグナリングを送信するために用いられるリソースプールに属する、決定ユニット、及び
決定ユニットによって決定されたリソースサブセットにおいて制御シグナリングの送信位置を決定するステップ及び送信位置で制御シグナリングを送信するように構成された送信ユニット、又は、決定ユニットによって決定されたリソースサブセットにおいてブラインド制御シグナリング検出を実行するように構成された検出ユニットを含む。
【００５８】
第２の態様に関連し、第２の態様の第１の可能な実装形態において、
決定ユニットは、予め設定されたルールに基づいてリソースサブセットを決定するように特に構成される。
【００５９】
第２の態様の第１の可能な実装形態に関連し、第２の態様の第２の可能な実装形態において、
予め設定されたルールは、リソースサブセットが指定されたリソースセットであることを含む。
【００６０】
第２の態様に関連し、第２の態様の第３の可能な実装形態において、
決定ユニットは、
プリセットパラメータに基づいてリソースサブセットを決定するように特に構成され、プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【００６１】
第２の態様の第３の可能な実装形態に関連し、第２の態様の第４の可能な実装形態において、
決定ユニットは、
プリセットパラメータが１つのパラメータである場合に、リソースサブセットが、プリセットパラメータに対応する、第１のプリセットの対応関係におけるリソース又はリソースパターン番号であることを決定し、ここで、第１のプリセットの対応関係は、少なくとも１つのプリセットパラメータと、少なくとも１つのプリセットパラメータとの１対１対応におけるリソース又はリソースパターン番号とを含み、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定する、ように特に構成される。
【００６２】
第２の態様の第３の可能な実装形態に関連し、第２の態様の第５の可能な実装形態において、
決定ユニットは、
プリセットパラメータが１つのパラメータである場合に、リソースサブセットが、プリセットパラメータが満たす予め設定された条件に対応する、第２のプリセットの対応関係におけるリソース又はリソースパターン番号であることを決定し、ここで第２のプリセットの対応関係は、少なくとも１つの予め設定された条件と、少なくとも１つの予め設定された条件との１対１対応におけるリソース又はリソースパターン番号とを含み、又は
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定する、ように特に構成される。
【００６３】
第２の態様、又は第２の態様の第１の可能な実装形態から第２の態様の第５の可能な実装形態のいずれか１つに関連し、第２の態様の第６の可能な実装形態において、
デバイスは受信端デバイスであり、制御シグナリング、制御シグナリングに用いられるＲＮＴＩ、又は制御シグナリングに用いられるスクランブリングコードが、データタイプ指示情報を含み、デバイスは、
データタイプ指示情報に対応するリソース上でデータを受信するように構成された受信ユニットをさらに含む。
【００６４】
第２の態様、又は第２の態様の第１の可能な実装形態から第２の態様の第５の可能な実装形態のいずれか１つに関連し、第２の態様の第７の可能な実装形態において、
制御シグナリング及びデータは、同じサブフレームにあり、
制御シグナリングはＬを含み、又は制御シグナリングはＳ０及び／又はＬを含み、
ここでＳ０は、制御シグナリングのリソースエンド位置と、データのリソーススタート位置との間の区間であり、Ｌは、データの長さである。
【００６５】
第２の態様の第７の可能な実装形態に関連し、第２の態様の第８の可能な実装形態において、
デバイスは受信端デバイスであり、デバイスは、
制御シグナリングがＳ０及びＬを含む場合に、Ｓ１＋Ｓ０とＳ１＋Ｓ０＋Ｌとの間のリソース区間内でデータを受信し、ここでＳ１は制御シグナリングのリソースエンド位置であり、
制御シグナリングがＬを含む場合に、Ｓ１＋１とＳ１＋１＋Ｌとの間のリソース区間内でデータを受信し、又は
制御シグナリングがＳ０を含む場合に、Ｓ１＋Ｓ０とＳ１＋Ｓ０＋Ｌとの間のリソース区間内でデータを受信する、ように構成される受信ユニットをさらに含み、ここでＬは固定値である。
【００６６】
第２の態様の第８の可能な実装形態に関連し、第２の態様の第９の可能な実装形態において、
Ｓ１＋Ｓ０とＳ１＋Ｓ０＋Ｌとの間のリソース区間、又はＳ１＋１とＳ１＋１＋Ｌとの間のリソース区間は、１つのリソースプールの中で位置決めされるか、
Ｓ１＋Ｓ０とＳ１＋Ｓ０＋Ｌとの間のリソース区間、又はＳ１＋１とＳ１＋１＋Ｌとの間のリソース区間は、リソースプールの２つのエンドに位置決めされるか、又は
Ｓ１＋Ｓ０とＳ１＋Ｓ０＋Ｌとの間のリソース区間、又はＳ１＋１とＳ１＋１＋Ｌとの間のリソース区間は、２つのリソースプールの中で位置決めされる。
【００６７】
第２の態様の第１の可能な実装形態に関連し、第２の態様の第１０の可能な実装形態において、
制御シグナリング及びデータは、時分割多重化方式でリソースを共有し、
予め設定されたルールは、リソースサブセットが、参照信号によって占有されるシンボルに近接した、データを送信するために用いられるＲＢペアにおけるＮ個のシンボルであることを含み、ここでＮは１以上である。
【００６８】
第２の態様の第１０の可能な実装形態に関連し、第２の態様の第１１の可能な実装形態において、
デバイスは送信端デバイスであり、送信ユニットは、
Ｎが１よりも大きい場合に、制御シグナリングを、フィールド優先度の降順で第１の部分から第Ｎの部分に分割し、
送信位置で、第１の部分から第Ｎの部分を、その部分と参照信号によって占有されるシンボルとの間の距離の昇順で送信する、ように特に構成される。
【００６９】
第２の態様の第１０の可能な実装形態又は第２の態様の第１１の可能な実装形態に関連し、第２の態様の第１２の可能な実装形態において、
データは、周波数ドメインにおいてＸ個のＲＢペアを占有する必要があり、制御シグナリングは、周波数ドメインにおいてＹ個のＲＢペアを占有する必要があり、ＹはＸ以下である。
【００７０】
第２の態様の第１２の可能な実装形態に関連し、第２の態様の第１３の可能な実装形態において、
デバイスは送信端デバイスであり、制御シグナリング及びデータは同じサブフレームにあり、送信ユニットは、
ＹがＸに等しい場合に、制御シグナリングによって占有されるＲＢペアにおいて、参照信号によって及び制御シグナリングによって占有されるＲＥ以外のＲＥ上で、データを送信するか、又は
ＹがＸよりも小さい場合に、制御シグナリングによって占有されるＲＢペアにおいて、参照信号によって及び制御シグナリングによって占有されるＲＥ以外のＲＥ上で、データの一部を送信し、かつ残りのＲＢペアを使用することによってデータの残りの部分を送信する、ように特に構成される。
【００７１】
第２の態様の第１０の可能な実装形態から第２の態様の第１３の可能な実装形態のいずれか１つに関連し、第２の態様の第１４の可能な実装形態において、
デバイスは受信端デバイスであり、制御シグナリングはデータの長さＬを含み、デバイスは、
データの送信リソースが制御シグナリングの送信リソースの周波数よりも高い周波数であるように予め設定されている場合に、その高い周波数を使用することによって、制御シグナリングのリソーススタート位置又はエンド位置で、その長さがＬであるデータを受信するか、又は
データの送信リソースが制御シグナリングの送信リソースの周波数よりも低い周波数であるように予め設定されている場合に、その低い周波数を使用することによって、制御シグナリングのリソーススタート位置又はエンド位置で、その長さがＬであるデータを受信する、ように構成された受信ユニットをさらに含む。
【００７２】
第２の態様の第１０の可能な実装形態から第２の態様の第１３の可能な実装形態のいずれか１つに関連し、第２の態様の第１５の可能な実装形態において、
デバイスは受信端デバイスであり、制御シグナリングはデータの長さＬ及び方向指示情報を含み、デバイスは、
方向指示情報が高周波数方向を指し示す場合に、高周波数を使用することによって、制御シグナリングのリソーススタート位置又はエンド位置で、その長さがＬであるデータを受信するか、又は
方向指示情報が低周波数方向を指し示す場合に、低周波数を使用することによって、制御シグナリングのリソーススタート位置又はエンド位置で、その長さがＬであるデータを受信する、ように構成された受信ユニットをさらに含む。
【００７３】
第２の態様の第１０の可能な実装形態から第２の態様の第１５の可能な実装形態のいずれか１つに関連し、第２の態様の第１６の可能な実装形態において、
制御シグナリングは、残りのＲＢペアにおいて参照信号識別子を含む。
【００７４】
第２の態様の第１０の可能な実装形態から第２の態様の第１５の可能な実装形態のいずれか１つに関連し、第２の態様の第１７の可能な実装形態において、
デバイスは受信端デバイスであり、制御シグナリングは残りのＲＢペアにおいて参照信号識別子を含み、送信ユニットは、
制御シグナリングによって占有されるＲＢペアにおいて、参照信号によって及び制御シグナリングによって占有されるＲＥ以外のＲＥ上で、データの一部を受信し、
残りのＲＢペアにおける参照信号識別子によって指し示されたＲＢペアにおいて、参照信号によって占有されるＲＥ以外のＲＥ上で、データの残りの部分を受信する、ように特に構成される。
【００７５】
第２の態様、又は第２の態様の第１の可能な実装形態から第２の態様の第１７の可能な実装形態のいずれか１つに関連し、第２の態様の第１８の可能な実装形態において、
制御シグナリングは、ＳＡ又はブロードキャストメッセージである。
【００７６】
第３の態様によれば、制御シグナリング送信デバイスが提供され、デバイスは、
制御シグナリングを送信するために用いられるリソースサブセットを決定するように構成されたプロセッサであって、ここで、リソースサブセットは制御シグナリングを送信するために用いられるリソースプールに属する、プロセッサ、及び
プロセッサによって決定されたリソースサブセットにおいて制御シグナリングの送信位置を決定し、かつ送信位置で制御シグナリングを送信するように構成された送信機を含むか、又は、プロセッサが、リソースサブセットにおいてブラインド制御シグナリング検出を実行する、ようにさらに構成される。
【００７７】
第３の態様に関連し、第３の態様の第１の可能な実装形態において、
プロセッサは、予め設定されたルールに基づいてリソースサブセットを決定するように特に構成される。
【００７８】
第３の態様の第１の可能な実装形態に関連し、第３の態様の第２の可能な実装形態において、
予め設定されたルールは、リソースサブセットが指定されたリソースセットであることを含む。
【００７９】
第３の態様に関連し、第３の態様の第３の可能な実装形態において、
プロセッサは、
プリセットパラメータに基づいてリソースサブセットを決定するように特に構成され、プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【００８０】
第３の態様の第３の可能な実装形態に関連し、第３の態様の第４の可能な実装形態において、
プロセッサは、
プリセットパラメータが１つのパラメータである場合に、リソースサブセットが、プリセットパラメータに対応する、第１のプリセットの対応関係におけるリソース又はリソースパターン番号であることを決定し、ここで、第１のプリセットの対応関係は、少なくとも１つのプリセットパラメータと、少なくとも１つのプリセットパラメータとの１対１対応におけるリソース又はリソースパターン番号とを含み、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定する、ように特に構成される。
【００８１】
第３の態様の第３の可能な実装形態に関連し、第３の態様の第５の可能な実装形態において、
プロセッサは、
プリセットパラメータが１つのパラメータである場合に、リソースサブセットが、プリセットパラメータが満たす予め設定された条件に対応する、第２のプリセットの対応関係におけるリソース又はリソースパターン番号であることを決定し、ここで、第２のプリセットの対応関係は、少なくとも１つの予め設定された条件と、少なくとも１つの予め設定された条件との１対１対応におけるリソース又はリソースパターン番号とを含み、又は
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定する、ように特に構成される。
【００８２】
第３の態様、又は第３の態様の第１の可能な実装形態から第３の態様の第５の可能な実装形態のいずれか１つに関連し、第３の態様の第６の可能な実装形態において、
デバイスは受信端デバイスであり、制御シグナリング、制御シグナリングに用いられる無線ネットワーク一時識別子ＲＮＴＩ、又は制御シグナリングに用いられるスクランブリングコードが、データタイプ指示情報を含み、デバイスは、
データタイプ指示情報に対応するリソース上でデータを受信するように構成された受信機をさらに含む。
【００８３】
第３の態様、又は第３の態様の第１の可能な実装形態から第３の態様の第５の可能な実装形態のいずれか１つに関連し、第３の態様の第７の可能な実装形態において、
制御シグナリング及びデータは、同じサブフレームにあり、
制御シグナリングはＬを含み、又は制御シグナリングはＳ０及び／又はＬを含み、
ここでＳ０は、制御シグナリングのリソースエンド位置と、データのリソーススタート位置との間の区間であり、Ｌは、データの長さである。
【００８４】
第３の態様の第７の可能な実装形態に関連し、第３の態様の第８の可能な実装形態において、
デバイスは受信端デバイスであり、デバイスは、
制御シグナリングがＳ０及びＬを含む場合に、Ｓ１＋Ｓ０とＳ１＋Ｓ０＋Ｌとの間のリソース区間内でデータを受信し、ここでＳ１は、制御シグナリングのリソースエンド位置であり、
制御シグナリングがＬを含む場合に、Ｓ１＋１とＳ１＋１＋Ｌとの間のリソース区間内でデータを受信するか、又は
制御シグナリングがＳ０を含む場合に、Ｓ１＋Ｓ０とＳ１＋Ｓ０＋Ｌとの間のリソース区間内でデータを受信する受信する、ように構成される受信機をさらに含み、ここでＬは固定値である。
【００８５】
第３の態様の第８の可能な実装形態に関連し、第３の態様の第９の可能な実装形態において、
Ｓ１＋Ｓ０とＳ１＋Ｓ０＋Ｌとの間のリソース区間、又はＳ１＋１とＳ１＋１＋Ｌとの間のリソース区間は、１つのリソースプールの中で位置決めされるか、
Ｓ１＋Ｓ０とＳ１＋Ｓ０＋Ｌとの間のリソース区間、又はＳ１＋１とＳ１＋１＋Ｌとの間のリソース区間は、リソースプールの２つのエンドに位置決めされるか、又は
Ｓ１＋Ｓ０とＳ１＋Ｓ０＋Ｌとの間のリソース区間、又はＳ１＋１とＳ１＋１＋Ｌとの間のリソース区間は、２つのリソースプールの中で位置決めされる。
【００８６】
第３の態様の第１の可能な実装形態に関連し、第３の態様の第１０の可能な実装形態において、
制御シグナリング及びデータは、時分割多重化方式でリソースを共有し、
予め設定されたルールは、リソースサブセットが、参照信号によって占有されるシンボルに近接した、データを送信するために用いられるＲＢペアにおけるＮ個のシンボルであることを含み、ここでＮは１以上である。
【００８７】
第３の態様の第１０の可能な実装形態に関連し、第３の態様の第１１の可能な実装形態において、
デバイスは送信端デバイスであり、送信機は、
Ｎが１よりも大きい場合に、制御シグナリングを、フィールド優先度の降順で第１の部分から第Ｎの部分に分割し、
送信位置で、第１の部分から第Ｎの部分を、その部分と参照信号によって占有されるシンボルとの間の距離の昇順で送信する、ように特に構成される。
【００８８】
第３の態様の第１０の可能な実装形態又は第３の態様の第１１の可能な実装形態に関連し、第３の態様の第１２の可能な実装形態において、
データは、周波数ドメインにおいてＸ個のＲＢペアを占有する必要があり、制御シグナリングは、周波数ドメインにおいてＹ個のＲＢペアを占有する必要があり、ＹはＸ以下である。
【００８９】
第３の態様の第１２の可能な実装形態に関連し、第３の態様の第１３の可能な実装形態において、
デバイスは送信端デバイスであり、制御シグナリング及びデータは同じサブフレームにあり、送信機は、
ＹがＸに等しい場合に、制御シグナリングによって占有されるＲＢペアにおいて、参照信号によって及び制御シグナリングによって占有されるＲＥ以外のＲＥ上で、データを送信するか、又は
ＹがＸよりも小さい場合に、制御シグナリングによって占有されるＲＢペアにおいて、参照信号によって及び制御シグナリングによって占有されるＲＥ以外のＲＥ上で、データの一部を送信し、かつ残りのＲＢペアを使用することによってデータの残りの部分を送信するように特に構成される。
【００９０】
第３の態様の第１０の可能な実装形態から第３の態様の第１３の可能な実装形態のいずれか１つに関連し、第３の態様の第１４の可能な実装形態において、
デバイスは受信端デバイスであり、制御シグナリングはデータの長さＬを含み、デバイスは、
データの送信リソースが制御シグナリングの送信リソースの周波数よりも高い周波数であるように予め設定されている場合に、その高い周波数を使用することによって、制御シグナリングのリソーススタート位置又はエンド位置で、その長さがＬであるデータを受信するか、又は
データの送信リソースが制御シグナリングの送信リソースの周波数よりも低い周波数であるように予め設定されている場合に、その低い周波数を使用することによって、制御シグナリングのリソーススタート位置又はエンド位置で、その長さがＬであるデータを受信する、ように構成された受信機をさらに含む。
【００９１】
第３の態様の第１０の可能な実装形態から第３の態様の第１３の可能な実装形態のいずれか１つに関連し、第３の態様の第１５の可能な実装形態において、
デバイスは受信端デバイスであり、制御シグナリングはデータの長さＬ及び方向指示情報を含み、デバイスは、
方向指示情報が高周波数方向を指し示す場合に、高周波数を使用することによって、制御シグナリングのリソーススタート位置又はエンド位置で、その長さがＬであるデータを受信するか、又は
方向指示情報が低周波数方向を指し示す場合に、低周波数を使用することによって、制御シグナリングのリソーススタート位置又はエンド位置で、その長さがＬであるデータを受信する、ように構成された受信機をさらに含む。
【００９２】
第３の態様の第１０の可能な実装形態から第３の態様の第１５の可能な実装形態のいずれか１つに関連し、第３の態様の第１６の可能な実装形態において、
制御シグナリングは、残りのＲＢペアにおいて参照信号識別子を含む。
【００９３】
第３の態様の第１０の可能な実装形態から第３の態様の第１５の可能な実装形態のいずれか１つに関連し、第３の態様の第１７の可能な実装形態において、
デバイスは受信端デバイスであり、制御シグナリングは残りのＲＢペアにおいて参照信号識別子を含み、送信機は、
制御シグナリングによって占有されるＲＢペアにおいて、参照信号によって及び制御シグナリングによって占有されるＲＥ以外のＲＥ上で、データの一部を受信し、
残りのＲＢペアにおける参照信号識別子によって指し示されたＲＢペアにおいて、参照信号によって占有されるＲＥ以外のＲＥ上で、データの残りの部分を受信する、ように特に構成される。
【００９４】
第３の態様、又は第３の態様の第１の可能な実装形態から第３の態様の第１７の可能な実装形態のいずれか１つに関連し、第３の態様の第１８の可能な実装形態において、
制御シグナリングは、ＳＡ又はブロードキャストメッセージである。
【００９５】
本発明の実施形態において提供される制御シグナリング送信の方法及びデバイスによれば、制御シグナリングを送信するために用いられるリソースサブセットが決定され、ここでリソースサブセットは、制御シグナリングを送信するために用いられるリソースプールの一部であり、リソースサブセットにおいて制御シグナリングの送信位置が決定され、送信位置で制御シグナリングが送信されるか、又は、リソースサブセットにおいてブラインド制御シグナリング検出が実施される。このようにして、一般的な原理に基づいてリソースサブセットを決定した後で、送信端デバイス及び受信端デバイスは、制御シグナリングの送信位置を、リソースサブセット内であるように限定する。送信端は、リソースサブセットにおいてのみ制御シグナリングを送信し、受信端デバイスは、リソースサブセットにおいてのみブラインド制御シグナリング検出を実行する。送信端デバイス及び受信端デバイスは互いに協調し、それにより、制御シグナリングは、リソースサブセット内で送信される（送られる、又はブラインド検出を通じて受信される）。リソースプール全体においてブラインド制御シグナリング検出が実施される先行技術と比較して、本実施形態は、受信端デバイスの復調／復号負荷及び検出／ブラインド復号回数の量を大幅に削減し、受信端デバイスの電力消費及び実装複雑性を削減する。
【図面の簡単な説明】
【００９６】
本発明の実施形態における技術的ソリューションをより明確に説明するために、以下は、本実施形態又は先行技術を説明するために必要とされる添付の図面を簡単に説明する。明らかに、以下の説明における添付の図面は、本発明のいくつかの実施形態を示しているにすぎず、当業者であれば、創造的な取り組みなしに、これらの添付の図面からなお他の図面を引き出しうる。
【００９７】
【図１】先行技術における制御シグナリング及びデータのリソース位置の概略図である。
【図２】先行技術における制御シグナリング及びデータのリソース位置の別の概略図である。
【図３】本発明の実施形態による制御シグナリング送信デバイスの概略構造図である。
【図４】本発明の実施形態による別の制御シグナリング送信デバイスの概略構造図である。
【図５】本発明の実施形態による制御シグナリング送信方法の概略流れ図である。
【図６】本発明の実施形態による制御シグナリング及びデータのリソース位置の概略図である。
【図７】本発明の実施形態による制御シグナリング及びデータのリソース位置の概略図である。
【図８】本発明の実施形態による制御シグナリング及びデータのリソース位置の別の概略図である。
【図９】本発明の実施形態による制御シグナリング及びデータのリソース位置のなおも別の概略図である。
【図１０】本発明の実施形態による制御シグナリング及びデータのリソース位置のさらに別の概略図である。
【図１１】本発明の実施形態によるなおも別の制御シグナリング送信デバイスの概略構造図である。
【図１２】本発明の実施形態によるさらに別の制御シグナリング送信デバイスの概略構造図である。
【図１３】本発明の実施形態によるなおもさらに別の制御シグナリング送信デバイスの概略構造図である。
【発明を実施するための形態】
【００９８】
エンドツーエンド通信デバイスにおいて、レイテンシ要件を満たすために、送信端は、制御シグナリング及びデータを、１つのサブフレームにおいて同じ時間に送ってよい。図１に示されるように、受信端は、制御シグナリングリソースプールのリソース区間（図における破線ボックス）内でブラインド制御シグナリング検出を実施し、同時に同じサブフレームにあるデータをキャッシュする必要があり、なぜなら、ＳＡを使用することによりスケジュールされたデータが、同じサブフレームにありうるからである。ＳＡが正しく受信され、ＳＡにおけるＩＤが受信端におけるＩＤと一致すると、（同じサブフレームにおいて）キャッシュされたデータを復調／復号するのか、それとも（異なるサブフレームにおいて）後続のデータを受信するのかが、ＳＡにおいて搬送されるデータ関連情報に基づいて決定される。
【００９９】
端末について、ピーク対平均電力比（Ｐｅａｋ  ｔｏ  Ａｖｅｒａｇｅ  Ｐｏｗｅｒ  Ｒａｔｉｏ、略してＰＡＰＲ）を削減するためには、制御シグナリング及びデータによって占有されるリソースが連続的であることが最適である。現在用いられている方法は、制御シグナリング及びデータがリソースプールを共有することであり、それにより、図２に示されるように、データは連続的に配置されうる。しかしながら、制御シグナリングリソースプール（図２における破線ボックス）の範囲は拡大される。図１のそれと比較すると、ＰＡＰＲは減少するが、制御シグナリングはより多くの位置を占有してよく、受信端デバイスによって実施されるブラインド検出の範囲が増加する。これは、受信端デバイスの、検出の正しいことの確率、ブラインド検出回数の量、復調／復号負荷、電力消費、及び複雑性をさらに増加させる。
【０１００】
以下は、本発明の実施形態における添付の図面を参照して、本発明の実施形態における技術的ソリューションを明確かつ完全に説明する。明らかに、説明される実施形態は、本発明の実施形態の全てではなく、いくつかにすぎない。本発明の実施形態に基づいて、創造的な取り組みなしに当業者によって取得される全ての他の実施形態は、本発明の保護範囲に入るものとする。
【０１０１】
本発明の基本的原理は次の通りである、即ち、送信端デバイス及び受信端デバイスは、一般的なソリューションに基づいて、制御シグナリングを送信するために用いられるリソースサブセットを決定し、ここでリソースサブセットは、リソースプールの一部であり、送信端デバイスは、リソースサブセットにおいて、制御シグナリングを送信するための送信位置を決定し、かつ制御シグナリングを送信し、受信端デバイスは、リソースサブセットにおいてブラインド制御シグナリング検出を実行する。これは、制御シグナリングを送信するための利用可能なリソースの範囲を削減し、受信端デバイスのブラインド検出負荷を削減し、ブラインド検出の正しいことの確率を増加させ、実装複雑性を削減する。
【０１０２】
本発明の実施形態において提供される制御シグナリング送信方法は、本発明の実施形態において提供される制御シグナリング送信デバイスによって実施されてよい。デバイスは、基地局の部分又は全部、エンドツーエンド通信における送信端デバイスの部分又は全部、又はエンドツーエンド通信における受信端デバイスの部分又は全部であってよい。図３は、本発明の実施形態に関連した制御シグナリング送信デバイスの概略構造図である。
【０１０３】
図３に示されるように、制御シグナリング送信デバイス３０は、プロセッサ３０１と、メモリ３０２と、通信バス３０３とを含んでよい。
【０１０４】
さらに、図４に示されるように、制御シグナリング送信デバイス３０が送信端デバイスであるとき、制御シグナリング送信デバイス３０は、送信機３０４をさらに含む。
【０１０５】
以下、図３を参照して、制御シグナリング送信デバイス３０の各構成要素部分を詳述する。
【０１０６】
メモリ３０２は、ランダムアクセスメモリ（ｒａｎｄｏｍ−ａｃｃｅｓｓ  ｍｅｍｏｒｙ、ＲＡＭ）などの揮発性メモリ（ｖｏｌａｔｉｌｅ  ｍｅｍｏｒｙ）、読み出し専用メモリ（ｒｅａｄ−ｏｎｌｙ  ｍｅｍｏｒｙ、ＲＯＭ）などの不揮発性メモリ（ｎｏｎ−ｖｏｌａｔｉｌｅ  ｍｅｍｏｒｙ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、ソリッドステートドライブ（ｓｏｌｉｄ−ｓｔａｔｅ  ｄｒｉｖｅ、ＳＳＤ）、又は上記のメモリのタイプの組合せであってよく、本発明における方法を実装するために使用されうる関連アプリケーションプログラム及び構成ファイルを記憶するように構成される。
【０１０７】
プロセッサ３０１は、制御シグナリング送信デバイス３０の制御中心であり、中央処理ユニット（Ｃｅｎｔｒａｌ  Ｐｒｏｃｅｓｓｉｎｇ  Ｕｎｉｔ、略してＣＰＵ）であってもよいし、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）であってもよいし、又は本発明のこの実施形態を実装するように構成された１つ又は複数の集積回路、例えば、１つ又は複数のマイクロプロセッサ（デジタル信号プロセッサ、略してＤＳＰ）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、略してＦＰＧＡ）であってもよい。プロセッサ３０１は、メモリ３０２に記憶されており、メモリ３０２に記憶されたデータを呼び出すソフトウェアプログラム及び／又はモジュールを、動作させる、又は実行することによって、制御シグナリング送信デバイス３０のさまざまな機能を実行してよい。
【０１０８】
通信バス３０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、周辺コンポーネント（Ｐｅｒｉｐｈｅｒａｌ  Ｃｏｍｐｏｎｅｎｔ、略してＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バス、その他であってよい。バス３０３は、アドレスバス、データバス、制御バス、その他に分類されてよい。表現しやすさのために、バスは、図３及び図４においては１つの太線のみを使用することによって表現されているが、これは１つのバス又は１つのタイプのバスのみが存在することを意味するものではない。
【０１０９】
プロセッサ３０１は、制御シグナリングを送信するために用いられるリソースサブセットを決定するように構成され、ここでリソースサブセットは、制御シグナリングを送信するために用いられるリソースプールに属する。
【０１１０】
プロセッサ３０１はさらに、リソースサブセットにおいて制御シグナリングの送信位置を決定し、送信機３０４を使用することによって送信位置で制御シグナリングを送信するように構成される、又は、リソースサブセットにおいてブラインド制御シグナリング検出を実行するように構成される。
【０１１１】
任意選択で、プロセッサ３０１は、予め設定されたルールに基づいてリソースサブセットを決定するように特に構成されてもよい。
【０１１２】
任意選択で、プロセッサ３０１は、プリセットパラメータに基づいてリソースサブセットを決定するように特に構成されてもよく、ここでプリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【０１１３】
以下、添付の図面を参照して、本発明の実施形態を詳述する。
【０１１４】
１つの態様によれば、本発明の実施形態は、エンドツーエンド通信デバイスに適用される制御シグナリング送信方法を提供し、ここでエンドツーエンド通信デバイスは、送信端デバイス又は受信端デバイスである。図５に示されるように、方法は、以下のステップを含んでよい。
【０１１５】
Ｓ５０１。送信端デバイスは、制御シグナリングを送信するために用いられるリソースサブセットを決定する。
【０１１６】
リソースサブセットは、制御シグナリングを送信するために用いられるリソースプールに属する。
【０１１７】
任意選択で、リソースサブセットは、リソースプールの一部である。
【０１１８】
任意選択で、集中型リソース割り当てモードにおいて、リソースプールは、基地局によるスケジューリングの下で制御シグナリングを送信するために使用されうるリソース区間全体である、又は競合ベースのリソース割り当てモードにおいて、リソースプールは、制御シグナリングを送信するために使用されうる、基地局による分割に基づいたリソース区間全体である、又はリソースプールは、制御シグナリングを送信するために使用されうる、予め設定されたリソース区間全体である。
【０１１９】
さらに、データ及び制御シグナリングがリソースプールを共有する場合、リソースプールは、データリソースプール及び制御シグナリングリソースプールを含む。
【０１２０】
任意選択で、制御シグナリングは、ＳＡ又はブロードキャストメッセージであってよい。
【０１２１】
特に、制御シグナリングのリソースサブセットを決定するために用いられるソリューションは、限定はされないが、以下の２つのソリューション（以下の第１のソリューション及び第２のソリューション）を含む。
【０１２２】
第１のソリューション：
予め設定されたルールに基づいてリソースサブセットを決定する。
【０１２３】
上記の第１のソリューションにおいて、予め設定されたルールの特定の内容は、限定はされないが、以下の２つのケースを含んでよい。
【０１２４】
第１のケースはこうである：予め設定されたルールは、リソースサブセットが指定されたリソースセットであることを含む。
【０１２５】
言い換えれば、リソースサブセットの範囲は、予め設定されたルールの内容において明示的に提供される。
【０１２６】
例えば、予め設定されたルールは、こう定義されてもよい：リソースサブセットは、奇数番号のＲＢ識別子（インデックス）、又は奇数番号のリソースエレメントグループ（Ｒｅｓｏｕｒｃｅ  Ｅｌｅｍｅｎｔ  Ｇｒｏｕｐ、略してＲＥＧ）インデックスである。
【０１２７】
例えば、予め設定されたルールは、こう定義されてもよい：リソースサブセットは、偶数番号のＲＢインデックス、又は偶数番号のＲＥＧインデックスである。
【０１２８】
例えば、予め設定されたルールは、こう定義されてもよい：リソースサブセットは、高周波数部分における特定の数量のＲＢ又はＲＥＧである。
【０１２９】
上記の例は、第１のケースにおける予め設定されたルールの内容を説明するために用いられるにすぎず、予め設定されたルールの内容を特に限定することは意図されないことが留意されるべきである。実際の適用において、予め設定されたルールの内容は、実際の要件に基づいて予め定義されていてよい。これは、本発明において特に限定されない。
【０１３０】
第１のケースにおけるソリューションは、制御シグナリング及びデータが同じサブフレームにあるシナリオに適用されてもよいし、又は制御シグナリング及びデータが異なるサブフレームにあるシナリオに適用されてもよいことが留意されるべきである。
【０１３１】
さらに、第１のケースにおけるソリューションが制御シグナリング及びデータが同じサブフレームにあるシナリオに適用されるとき、ソリューションは、制御シグナリング及びデータのための周波数分割多重化シナリオに適用されてもよいし、又は制御シグナリング及びデータのための時分割多重化シナリオに適用されてもよい。
【０１３２】
第２のケースはこうである：制御シグナリング及びデータは、時分割多重化方式でリソースを共有する。
【０１３３】
予め設定されたルールは次を含む：リソースサブセットは、参照信号によって占有されるシンボルに近接した、データを送信するために用いられるＲＢペアにおけるＮ個のシンボルである。
【０１３４】
Ｎは、１以上である。
【０１３５】
任意選択で、参照信号は、復調参照信号（Ｄｅｍｏｄｕｌａｔｉｏｎ  Ｒｅｆｅｒｅｎｃｅ  Ｓｉｇｎａｌ、略してＤＭＲＳ）であってもよいし、又は参照信号は、サウンディング参照信号（Ｓｏｕｎｄｉｎｇ  Ｒｅｆｅｒｅｎｃｅ  Ｓｉｇｎａｌ、略してＳＲＳ）であってもよい。もちろん、参照信号は、代替として別の参照信号であってもよい。参照信号のタイプは、本発明のこの実施形態において特に限定されない。
【０１３６】
任意選択で、Ｎ個のシンボルは、参照信号によって占有されるシンボルの２つの側にあってよく、かつ参照シンボルに近接していてよく、又は参照信号によって占有されるシンボルの１つの側にあってもよく、かつ参照シンボルに近接していてよい。これは、本発明のこの実施形態において特に限定されない。
【０１３７】
特に、データは、周波数ドメインにおいてＸ個のＲＢペアを占有する必要があり、制御シグナリングは、周波数ドメインにおいてＹ個のＲＢペアを占有する必要があり、ＹはＸ以下である。
【０１３８】
Ｎの特定の値は、Ｘ及びＹの値に依存している。
【０１３９】
Ｘの特定の値は、送信されるべきデータのサイズ、及びデータを送信するために用いられる１つのＲＢペアにおけるリソースのサイズに依存している。
【０１４０】
Ｙの特定の値は、制御シグナリングのサイズ、及び制御シグナリングを送信するために用いられる１つのＲＢペアにおけるリソースのサイズに依存している。
【０１４１】
さらに、データを送信するために用いられる１つのＲＢペアにおけるリソースのサイズ、及び制御シグナリングを送信するために用いられる１つのＲＢペアにおけるリソースのサイズは、プロトコルにおいて予め設定されていてよく、通信におけるパーティによって知られている。
【０１４２】
例えば、ノーマルサイクリックプレフィックス（Ｎｏｒｍａｌ  Ｃｙｃｌｉｃ  Ｐｒｅｆｉｘ、略してＮＣＰ）の場合、Ｘが３×Ｙ以上であるとき、Ｎは４に等しく、Ｘが３×Ｙよりも小さくかつＹよりも大きいとき、Ｎは８に等しく、ＸがＹに等しいとき、Ｎは１２に等しい。
【０１４３】
例えば、制御シグナリングを送信するために用いられる予め定義されたＲＢペアにおけるリソースが、４つのシンボルである、即ち、Ｎ＝４であると仮定すると、周波数ドメインにおいて制御シグナリングを送信するためには、Ｙ＝３ＲＢペアが用いられる必要があることが、計算を通じて取得されてよい。３個のＲＢペアにおける残りのＲＥがデータを送信するのに十分である場合、Ｘは３に等しく、制御シグナリングと参照信号との間の位置関係は、図６に示されている。そうでない場合、Ｘは３よりも大きい（制御シグナリング及びデータによって共に占有されるＲＢと、データによって独占的に占有されるＲＢとは、１つの参照信号を共有してもよいし、又は２つの参照信号を共有してもよい。２つの参照信号が共有される場合、独立したシーケンスが、２つの参照信号のために使用されてよい）。制御シグナリング及びデータによって共に占有されるＲＢと、データによって独占的に占有されるＲＢとが１つの参照信号を共有する場合、制御シグナリングと参照信号との間の位置関係は、図７に示されている。制御シグナリング及びデータによって共に占有されるＲＢと、データによって独占的に占有されるＲＢとが２つの参照信号を共有する場合、制御シグナリングと参照信号との間の位置関係は、図８に示されている。
【０１４４】
例えば、制御シグナリングを送信するために用いられる予め定義されたＲＢペアにおけるリソースが、８つのシンボルである、即ち、Ｎ＝８であると仮定すると、周波数ドメインにおいて制御シグナリングを送信するためには、Ｙ＝２ＲＢペアが用いられる必要があることが、計算を通じて取得されてよい。２個のＲＢペアにおける残りのＲＥがデータを送信するのに十分である場合、Ｘは２に等しい。そうでない場合、Ｘは２よりも大きく、制御シグナリングと参照信号との間の位置関係は、図９に示されている。
【０１４５】
さらに、制御シグナリングを送信するために用いられる予め定義されたＲＢペアにおけるリソースのサイズが、データによって占有されるＲＢペアにおける１つのシンボルよりも大きいとき、制御シグナリングの送信位置は、制御シグナリングによって占有されるリソースのサイズが制御シグナリングを送信するために用いられる予め定義されたＲＢペアにおけるリソースのサイズに等しくなるまで、参照信号によって占有されるシンボルに近接したシンボルから外側に拡大する。
【０１４６】
任意選択で、Ｎが１よりも大きいとき、制御シグナリングの送信位置は、参照信号によって占有されるシンボルに近接したシンボルから外側に拡大する。制御シグナリングにおけるフィールドのシンボル位置は、随意に配列されてよい。
【０１４７】
さらに、エンドツーエンド通信デバイスが送信端デバイスであり、Ｎが１よりも大きい場合に、制御シグナリングは、フィールド優先度の降順で第１の部分から第Ｎの部分に分割され、
送信位置で、第１の部分から第Ｎの部分が、その部分と参照信号によって占有されるシンボルとの間の距離の昇順で送信される。
【０１４８】
例えば、制御シグナリングを送信するために用いられる予め定義されたＲＢペアにおけるリソースが、８つのシンボルである、即ち、Ｎ＝８であると仮定すると、周波数ドメインにおいて制御シグナリングを送信するためには、Ｙ＝２ＲＢペアが用いられる必要があることが、計算を通じて取得されてよい。制御シグナリングを送信するとき、送信端デバイスは、制御シグナリングを、第１の制御シグナリング部と第２の制御シグナリング部とに分割し、ここで第１の制御シグナリング部に含まれるフィールドの優先度は、第２の制御シグナリング部に含まれるフィールドの優先度よりも高い。より高い優先度の部分が、参照信号によって占有されるシンボルに近接した４つのシンボル上に配置され、より低い優先度の部分が、他の４つのシンボル上に配置される。制御シグナリングと参照信号との位置間の特定の関係は、図１０に示されている。
【０１４９】
第２のケースにおける例は、制御シグナリングと参照信号との間の位置関係を説明するために用いられるにすぎず、制御シグナリング及び参照信号の内容、及びその位置関係を特に限定することは意図されないことが留意されるべきである。
【０１５０】
第２のソリューション：
プリセットパラメータに基づいてリソースサブセットを決定し、ここでプリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【０１５１】
プリセットパラメータは、ハンドシェイク手順において基地局との対話を通じて取得されてもよいし、又はプリセットパラメータは、予め設定されていてもよいことが留意されるべきである。プリセットパラメータを取得する方法は、本発明において特に限定されない。
【０１５２】
以下、例を使用することによって、いくつかのプリセットパラメータの内容を説明するが、プリセットパラメータの内容を特に限定することは意図されない。
【０１５３】
例えば、制御シグナリング関連パラメータは、次のパラメータ、即ち、制御シグナリングピリオド、又は制御シグナリングオフセット、のうちの１つ又は複数であってよい。
【０１５４】
制御シグナリングピリオドの値がＴであると仮定すると、制御シグナリングオフセットの値は、０からＴ−１になる。
【０１５５】
例えば、データ関連パラメータは、次のパラメータ、即ち、送信される／受信されるデータの、又はデータのサービスの優先度、送信される／受信されるデータの、又はデータのサービスのタイプ、又は、送信される／受信されるデータのＩＤ、又はデータのサービスのＩＤ、のうちの１つ又は複数であってよい。
【０１５６】
データの、又はデータのサービスの優先度は、予め設定され、送信端デバイス及び受信端デバイスによって知られている。
【０１５７】
例えば、送信される／受信されるデータの、又はデータのサービスのタイプは、限定はされないが、以下の項目ａからｅのうちの１つ又は複数を含んでよい。
【０１５８】
ａ．サービスはセキュリティ関連サービスであるかどうか、ここでサービスタイプは、セキュリティ関連サービスと、非セキュリティ関連サービスとを含む。
【０１５９】
ｂ．データは周期的であるか、或いは非周期的なものか／イベントトリガされるのか。
【０１６０】
ｃ．データは最初に送信されるか、或いは再送されるか。
【０１６１】
ｄ．データの内容は、協調認識メッセージ（Ｃｏｏｐｅｒａｔｉｖｅ  Ａｗａｒｅｎｅｓｓ  Ｍｅｓｓａｇｅ、略してＣＡＭ）であるか、或いは分散型環境通報メッセージ（Ｄｅｃｅｎｔｒａｌｉｚｅｄ  Ｅｎｖｉｒｏｎｍｅｎｔ  Ｎｏｔｉｆｉｃａｔｉｏｎ  Ｍｅｓｓａｇｅ、略してＤＥＮＭ）であるか。
【０１６２】
ｅ．制御失敗、緊急制動、前方輻輳、その他などの特定のメッセージ。
【０１６３】
例えば、送信端関連パラメータは、次のパラメータ、即ち、送信端末タイプ、又は送信端末ＩＤ、のうちの１つ又は複数であってよい。
【０１６４】
例えば、端末タイプは、次のもの、即ち、Ｄ２Ｄ端末、中継（Ｒｅｌａｙ）ユーザ機器（Ｕｓｅｒ  Ｅｑｕｉｐｍｅｎｔ、略してＵＥ）、歩行者又は車両型端末、路側装置、又は基地局／ネットワーク、のうちの少なくとも１つであってよい。
【０１６５】
例えば、受信端関連パラメータは、次のパラメータ、即ち、受信端末タイプ、受信端末ＩＤ、又は受信端末グループＩＤ、のうちの１つ又は複数であってよい。
【０１６６】
例えば、リソース関連パラメータは、次のパラメータ、即ち、制御シグナリングリソースプール帯域幅、データリソースプール帯域幅、制御シグナリングリソースプール及びデータリソースプールの合計帯域幅、共通リソースプール（制御シグナリング及びデータのために共有されるリソースプール）帯域幅、システム帯域幅、サブフレーム番号、タイムスロット番号、その他、のうちの１つ又は複数であってよい。
【０１６７】
特に、上記の第２のソリューションにおいて、プリセットパラメータに基づいてリソースサブセットを決定するための実装形態は、限定はされないが、以下の２つの方法を含んでよい。
【０１６８】
第１の方法：
プリセットパラメータが１つのパラメータである場合に、リソースサブセットが、プリセットパラメータに対応する、第１のプリセットの対応関係におけるリソース又はリソースパターン番号であることを決定し、ここで第１のプリセットの対応関係は、少なくとも１つのプリセットパラメータと、少なくとも１つのプリセットパラメータとの１対１対応におけるリソース又はリソースパターン番号とを含み、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定する。
【０１６９】
例えば、データの優先度は、８つの優先度にカテゴライズされてよく、異なる優先度は、異なるリソース範囲に対応している。最も高い優先度のサービスは、限定されなくてもよく（リソースプールの全部分）、高い優先度のサービスは、比較的大きい範囲に限定され、低い優先度のサービスは、比較的小さい範囲に限定される。異なる優先度は、異なるリソースに対応している。最も高い優先度のサービスは、全部のシステムリソース又は利用可能なリソースに対応していてよく、高い優先度のサービスは、比較的大量のリソースに対応しており、低い優先度のサービスは、比較的少量のリソースに対応している。高い優先度のサービスのリソースは、低い優先度のサービスのリソースを含んでよい。
【０１７０】
例えば、送信端デバイスがＤ２Ｄ端末である場合、Ｄ２Ｄ端末のプリセットパラメータに対応するリソースが、第１のプリセットの対応関係において取得され、リソースサブセットとして用いられる。受信端デバイスがＤ２Ｄ端末のみによって送信されるデータを受信するためである場合、受信端デバイスは、他の無意味なブラインド検出を実行することなく、Ｄ２Ｄ端末のプリセットパラメータに対応する、第１のプリセットの対応関係において取得されたリソース上で、ブラインド制御シグナリング検出を実施してよい。
【０１７１】
例えば、第１のプリセットの対応関係は、表形式で、エンドツーエンド通信デバイスに記憶されてよい。表１に列記されるように、表１は、第１のプリセットの対応関係を説明している。
【０１７２】
【表１】
2020058078.tif 000003
【０１７３】
表１は、第１のプリセットの対応関係の形式及び内容を説明するための例として用いられるにすぎず、第１のプリセットの対応関係の形式及び内容を特に限定することは意図されないことが留意されるべきである。実際の適用において、第１のプリセットの対応関係の形式及び内容は、実際の要件に基づいて決定されてよい。
【０１７４】
第２の方法：
プリセットパラメータが１つのパラメータである場合に、リソースサブセットが、プリセットパラメータが満たす予め設定された条件に対応する、第２のプリセットの対応関係におけるリソース又はリソースパターン番号であることを決定し、ここで第２のプリセットの対応関係は、少なくとも１つの予め設定された条件と、少なくとも１つの予め設定された条件との１対１対応におけるリソース又はリソースパターン番号とを含み、又は、
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定する。
【０１７５】
例えば、異なるリソース又はリソースパターン番号が、第２のプリセットの対応関係における偶数番号のサブフレーム及び奇数番号のサブフレームについて、それぞれ設定されてよい。
【０１７６】
例えば、第２のプリセットの対応関係は、表形式で、エンドツーエンド通信デバイスに記憶されてよい。表２に列記されるように、表２は、第２のプリセットの対応関係を説明している。
【０１７７】
【表２】
2020058078.tif 000004
【０１７８】
表２は、第２のプリセットの対応関係の形式及び内容を説明するための例として用いられるにすぎず、第２のプリセットの対応関係の形式及び内容を特に限定することは意図されないことが留意されるべきである。実際の適用において、第２のプリセットの対応関係の形式及び内容は、実際の要件に基づいて決定されてよい。
【０１７９】
さらに、第２のソリューション及び第１のソリューションの第１のケースにおいて、制御シグナリング及びデータが同じサブフレームにある場合、制御シグナリングはＬを含み、又は制御シグナリングはＳ０及びＬを含み、それにより、受信端デバイスは、制御シグナリングに含まれる内容に基づいてデータの送信位置を決定し、データを受信する。
【０１８０】
Ｓ０は、制御シグナリングのリソースエンド位置と、データのリソーススタート位置との間の区間であり、Ｌは、データの長さである。
【０１８１】
Ｓ５０２。送信端デバイスは、リソースサブセットにおいて制御シグナリングの送信位置を決定し、送信位置で制御シグナリングを送信する。
【０１８２】
任意選択で、送信端デバイスは基地局であり、即ち、集中型スケジューリングリソース割り当てモードが使用され、Ｓ５０２は、
リソースサブセットにおいて送信位置を集中的にスケジュールすること、及び
送信位置でＳＡを送信するよう送信端デバイスに命令するために、送信位置を送信端デバイスに送信することを特に含んでもよい。
【０１８３】
任意選択で、送信端デバイスは送信端末であり、即ち、競合ベースのリソース割り当てモードが使用され、Ｓ５０２は、
競合を通じて、リソースサブセットにおいて送信位置を取得すること、及び
送信位置でＳＡを送信することを特に含んでもよい。
【０１８４】
Ｓ５０３。受信端デバイスは、制御シグナリングを送信するために用いられるリソースサブセットを決定し、リソースサブセットにおいてブラインド制御シグナリング検出を実行する。
【０１８５】
受信端デバイスによって制御シグナリングを送信するために用いられるリソースサブセットを決定する工程は、送信端デバイスによって制御シグナリングを送信するために用いられるリソースサブセットを決定する工程と同じであることが留意されるべきである。制御シグナリングを送信するために用いられるリソースサブセットを決定する工程は、Ｓ５０１に詳述されている。詳細は、本明細書で再度説明はされない。
【０１８６】
さらに、Ｓ５０２の後で、方法は、送信端デバイスによってデータを送信することをさらに含む。
【０１８７】
特に、送信端デバイスによってデータを送信することは、以下のいくつかの実装形態を含んでよい。
【０１８８】
第１の実装形態はこうである：送信端デバイスは、送られるべきデータのデータタイプに対応するリソースを決定し、対応するリソース上でデータを送信する。
【０１８９】
第１の実装形態において、制御シグナリング、制御シグナリングに用いられるＲＮＴＩ、又は制御シグナリングに用いられるスクランブリングコードが、データタイプ指示情報を含む。
【０１９０】
第２の実装形態はこうである：データを送信するために使用され、かつ基地局によって指し示されたリソース上でデータを送信する、又は、競合を通じて送信端デバイスによって取得されたデータリソース上でデータを送信する。
【０１９１】
制御シグナリングは、データの送信リソース位置を決定し、かつデータを受信するために受信端デバイスによって用いられる、データ関連情報を含む。
【０１９２】
第３の実装形態はこうである：制御シグナリング及びデータは、時分割多重化方式で、又は周波数分割多重化する方法で、リソースを共有する。
【０１９３】
第３の実装形態において、送信端デバイスは、制御シグナリングの連続的なリソース位置で、又は不連続なリソース位置で、データを送信する。制御シグナリングはデータの長さＬを含むか、制御シグナリングはＳ０を含むか、又は制御シグナリングはＳ０及びＬを含み、それにより、受信端デバイスは、データの送信リソース位置を決定し、データを受信する。
【０１９４】
第４の実装形態はこうである：制御シグナリング及びデータは、時分割多重化方式でリソースを共有し、かつ同じサブフレームにある。
【０１９５】
ＹがＸに等しい場合に、制御シグナリングによって占有されるＲＢペアにおいて、参照信号によって及び制御シグナリングによって占有されるＲＥ以外のＲＥ上で、データが送られる、又は
ＹがＸよりも小さい場合に、制御シグナリングによって占有されるＲＢペアにおいて、参照信号によって及び制御シグナリングによって占有されるＲＥ以外のＲＥ上で、データの一部が送られ、残りのＲＢペアを使用することによってデータの残りの部分が送られる。
【０１９６】
さらに、第４の実装形態において、送信端デバイスは、制御シグナリングによって占有されるＲＢペアにおいて、参照信号によって及び制御シグナリングによって占有されるＲＥ以外のＲＥ上で、データを送信する。制御シグナリングはデータの長さＬを含むか、又は制御シグナリングはＬ及び方向指示情報を含む。
【０１９７】
送信端デバイスが、制御シグナリングによって占有されるＲＢペアにおいて、参照信号によって及び制御シグナリングによって占有されるＲＥ以外のＲＥ上でデータの一部を送信し、残りのＲＢペアを使用することによってデータの残りの部分を送信する場合、制御シグナリングは、データの長さＬ、及び残りのＲＢペアにおいて参照信号識別子を含むか、又は制御シグナリングは、データの長さＬ、方向指示情報、及び残りのＲＢペアにおいて参照信号識別子を含む。
【０１９８】
さらに、Ｓ５０３の後で、制御シグナリングが正しく受信された場合、方法は、受信端デバイスによってデータを受信することをさらに含む。
【０１９９】
特に、受信端デバイスによってデータを受信する工程は、制御シグナリングに含まれる異なる内容に伴って変化する。以下のいくつかの工程が特に含まれてもよい。
【０２００】
第１の工程はこうである：制御シグナリング、制御シグナリングに用いられるＲＮＴＩ、又は制御シグナリングに用いられるスクランブリングコードがデータタイプ指示情報を含む場合に、受信端デバイスは、データタイプ指示情報に対応するリソース上でデータを受信する。
【０２０１】
第２の工程はこうである：制御シグナリング及びデータは、同じサブフレームにある。
【０２０２】
第２の工程において、制御シグナリングがＳ０及びＬを含む場合に、データは、Ｓ１＋Ｓ０とＳ１＋Ｓ０＋Ｌとの間のリソース区間内で受信され、ここでＳ１は、制御シグナリングのリソースエンド位置である。制御シグナリングがＬを含む場合に、データは、Ｓ１＋１とＳ１＋１＋Ｌとの間のリソース区間内で受信される。制御シグナリングがＳ０を含む場合に、データは、Ｓ１＋Ｓ０とＳ１＋Ｓ０＋Ｌとの間のリソース区間内で受信される（Ｌは固定長である）。
【０２０３】
任意選択で、Ｓ１＋Ｓ０とＳ１＋Ｓ０＋Ｌとの間のリソース区間、又はＳ１＋１とＳ１＋１＋Ｌとの間のリソース区間は、１つのリソースプールの中で位置決めされてよい。
【０２０４】
任意選択で、Ｓ１＋Ｓ０とＳ１＋Ｓ０＋Ｌとの間のリソース区間、又はＳ１＋１とＳ１＋１＋Ｌとの間のリソース区間は、リソースプールの２つのエンドに位置決めされてよい。
【０２０５】
任意選択で、Ｓ１＋Ｓ０とＳ１＋Ｓ０＋Ｌとの間のリソース区間、又はＳ１＋１とＳ１＋１＋Ｌとの間のリソース区間は、２つのリソースプールの中で位置決めされてよい。
【０２０６】
第３の工程はこうである：制御シグナリング及びデータは、時分割多重化方式でリソースを共有し、かつ同じサブフレームにあり、ここで制御シグナリングは、データの長さＬを含む。
【０２０７】
受信端デバイスによってデータを受信する工程は、
データの送信リソースが制御シグナリングの送信リソースの周波数よりも高い周波数であるように予め設定されている場合に、その高い周波数を使用することによって、制御シグナリングのリソーススタート位置又はエンド位置で、その長さがＬであるデータを受信すること、又は
データの送信リソースが制御シグナリングの送信リソースの周波数よりも低い周波数であるように予め設定されている場合に、その低い周波数を使用することによって、制御シグナリングのリソーススタート位置又はエンド位置で、その長さがＬであるデータを受信することを特に含む。
【０２０８】
第４の工程はこうである：制御シグナリング及びデータは、時分割多重化方式でリソースを共有し、かつ同じサブフレームにあり、ここで制御シグナリングは、データの長さＬ及び方向指示情報を含む。
【０２０９】
受信端デバイスによってデータを受信する工程は、
方向指示情報が高周波数方向を指し示す場合に、高周波数を使用することによって、制御シグナリングのリソーススタート位置又はエンド位置で、その長さがＬであるデータを受信すること、又は
方向指示情報が低周波数方向を指し示す場合に、低周波数を使用することによって、制御シグナリングのリソーススタート位置又はエンド位置で、その長さがＬであるデータを受信することを特に含む。
【０２１０】
第５の工程：制御シグナリングは、残りのＲＢペアにおいて参照信号識別子を含む。
【０２１１】
第５の工程において、受信端デバイスによってデータを受信することは、制御シグナリングによって占有されるＲＢペアにおいて、参照信号によって及び制御シグナリングによって占有されるＲＥ以外のＲＥ上で、データの一部を受信すること、及び残りのＲＢペアにおける参照信号識別子によって指し示されたＲＢペアにおいて、参照信号によって占有されるＲＥ以外のＲＥ上で、データの残りの部分を受信することを含んでよい。
【０２１２】
特に、制御シグナリングによって占有されるＲＢペアにおいて、参照信号によって及び制御シグナリングによって占有されるＲＥ以外のＲＥ上で、データの一部を受信する工程は、第３の工程又は第４の工程と同じである。詳細は、本明細書で再度説明はされない。
【０２１３】
本発明のこの実施形態において提供される制御シグナリング送信方法によれば、制御シグナリングを送信するために用いられるリソースサブセットが決定され、ここでリソースサブセットは、制御シグナリングを送信するために用いられるリソースプールの一部であり、リソースサブセットにおいて制御シグナリングの送信位置が決定され、送信位置で制御シグナリングが送られる、又は、リソースサブセットにおいてブラインド制御シグナリング検出が実施される。このようにして、一般的な原理に基づいてリソースサブセットを決定した後で、送信端デバイス及び受信端デバイスは、制御シグナリングの送信位置を、リソースサブセット内であるように限定する。送信端は、リソースサブセットにおいてのみ制御シグナリングを送信し、受信端デバイスは、リソースサブセットにおいてのみブラインド制御シグナリング検出を実行する。送信端デバイス及び受信端デバイスは互いに協調し、それにより、制御シグナリングは、リソースサブセット内で送信される（送られる、又はブラインド検出を通じて受信される）。リソースプール全体においてブラインド制御シグナリング検出が実施される先行技術と比較して、この実施形態は、受信端デバイスの復調／復号負荷及び検出／ブラインド復号回数の量を大幅に削減し、受信端デバイスの電力消費及び実装複雑性を削減する。
【０２１４】
別の態様によれば、本発明の実施形態は、別の制御シグナリング送信デバイス３０を提供する。図１１及び図１２に示されるように、デバイス３０は、
制御シグナリングを送信するために用いられるリソースサブセットを決定するように構成された決定ユニット１１０１であって、ここでリソースサブセットは制御シグナリングを送信するために用いられるリソースプールに属する、決定ユニット１１０１、及び
決定ユニット１１０１によって決定されたリソースサブセットにおいて制御シグナリングの送信位置を決定し、送信位置で制御シグナリングを送信するように構成された送信ユニット１１０２、又は、決定ユニット１１０１によって決定されたリソースサブセットにおいてブラインド制御シグナリング検出を実行するように構成された検出ユニット１１０３を含んでよい。
【０２１５】
任意選択で、決定ユニット１１０１は、
予め設定されたルールに基づいてリソースサブセットを決定するように特に構成されてもよい。
【０２１６】
任意選択で、予め設定されたルールは、リソースサブセットが指定されたリソースセットであることを含んでよい。
【０２１７】
任意選択で、決定ユニット１１０１は、
プリセットパラメータに基づいてリソースサブセットを決定するように特に構成されてよく、ここでプリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【０２１８】
特に、決定ユニット１１０１は、
プリセットパラメータが１つのパラメータである場合に、リソースサブセットが、プリセットパラメータに対応する、第１のプリセットの対応関係におけるリソース又はリソースパターン番号であることを決定するように特に構成されてよく、ここで第１のプリセットの対応関係は、少なくとも１つのプリセットパラメータと、少なくとも１つのプリセットパラメータとの１対１対応におけるリソース又はリソースパターン番号とを含み、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定するように特に構成されてよい。
【０２１９】
特に、決定ユニット１１０１は、
プリセットパラメータが１つのパラメータである場合に、リソースサブセットが、プリセットパラメータが満たす予め設定された条件に対応する、第２のプリセットの対応関係におけるリソース又はリソースパターン番号であることを決定するように特に構成されてよく、ここで第２のプリセットの対応関係は、少なくとも１つの予め設定された条件と、少なくとも１つの予め設定された条件との１対１対応におけるリソース又はリソースパターン番号とを含み、又は
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定するように特に構成されてよい。
【０２２０】
さらに、図１３に示されるように、デバイスは受信端デバイスであり、制御シグナリング、制御シグナリングに用いられるＲＮＴＩ、又は制御シグナリングに用いられるスクランブリングコードが、データタイプ指示情報を含み、デバイス３０は、
データタイプ指示情報に対応するリソース上でデータを受信するように構成された受信ユニット３０４をさらに含む。
【０２２１】
さらに、制御シグナリング及びデータは、同じサブフレームにあり、
制御シグナリングはＬを含み、又は制御シグナリングはＳ０及び／又はＬを含み、
ここでＳ０は、制御シグナリングのリソースエンド位置と、データのリソーススタート位置との間の区間であり、Ｌは、データの長さである。
【０２２２】
さらに、受信ユニット３０４は、
制御シグナリングがＳ０及びＬを含む場合に、Ｓ１＋Ｓ０とＳ１＋Ｓ０＋Ｌとの間のリソース区間内でデータを受信するようにさらに構成されてよく、ここでＳ１は、制御シグナリングのリソースエンド位置であり、
制御シグナリングがＬを含む場合に、Ｓ１＋１とＳ１＋１＋Ｌとの間のリソース区間内でデータを受信するようにさらに構成されてよく、又は
制御シグナリングがＳ０を含む場合に、Ｓ１＋Ｓ０とＳ１＋Ｓ０＋Ｌとの間のリソース区間内でデータを受信するようにさらに構成されてよく、ここでＬは固定値である。
【０２２３】
任意選択で、Ｓ１＋Ｓ０とＳ１＋Ｓ０＋Ｌとの間のリソース区間、又はＳ１＋１とＳ１＋１＋Ｌとの間のリソース区間は、１つのリソースプールの中で位置決めされるか、
Ｓ１＋Ｓ０とＳ１＋Ｓ０＋Ｌとの間のリソース区間、又はＳ１＋１とＳ１＋１＋Ｌとの間のリソース区間は、リソースプールの２つのエンドに位置決めされるか、又は
Ｓ１＋Ｓ０とＳ１＋Ｓ０＋Ｌとの間のリソース区間、又はＳ１＋１とＳ１＋１＋Ｌとの間のリソース区間は、２つのリソースプールの中で位置決めされる。
【０２２４】
任意選択で、制御シグナリング及びデータは、時分割多重化方式でリソースを共有し、予め設定されたルールは、リソースサブセットが、参照信号によって占有されるシンボルに近接した、データを送信するために用いられるＲＢペアにおけるＮ個のシンボルであることを含み、ここでＮは１以上である。
【０２２５】
さらに、デバイスは送信端デバイスであり、送信ユニット１１０２は、
Ｎが１よりも大きい場合に、制御シグナリングを、フィールド優先度の降順で第１の部分から第Ｎの部分に分割し、
送信位置で、第１の部分から第Ｎの部分を、その部分と参照信号によって占有されるシンボルとの間の距離の昇順で送信するように特に構成されてよい。
【０２２６】
データは、周波数ドメインにおいてＸ個のＲＢペアを占有する必要があり、制御シグナリングは、周波数ドメインにおいてＹ個のＲＢペアを占有する必要があり、ＹはＸ以下である。
【０２２７】
任意選択で、デバイスは送信端デバイスであり、制御シグナリング及びデータは同じサブフレームにあり、送信ユニット１１０２は、特に、
ＹがＸに等しい場合に、制御シグナリングによって占有されるＲＢペアにおいて、参照信号によって及び制御シグナリングによって占有されるＲＥ以外のＲＥ上で、データを送信し、又は
ＹがＸよりも小さい場合に、制御シグナリングによって占有されるＲＢペアにおいて、参照信号によって及び制御シグナリングによって占有されるＲＥ以外のＲＥ上で、データの一部を送信し、残りのＲＢペアを使用することによってデータの残りの部分を送信するようにさらに構成されてもよい。
【０２２８】
デバイスは受信端デバイスであり、制御シグナリングはデータの長さＬを含み、デバイスは、
データの送信リソースが制御シグナリングの送信リソースの周波数よりも高い周波数であるように予め設定されている場合に、その高い周波数を使用することによって、制御シグナリングのリソーススタート位置又はエンド位置で、その長さがＬであるデータを受信し、又は
データの送信リソースが制御シグナリングの送信リソースの周波数よりも低い周波数であるように予め設定されている場合に、その低い周波数を使用することによって、制御シグナリングのリソーススタート位置又はエンド位置で、その長さがＬであるデータを受信するように構成された受信ユニットをさらに含む。
【０２２９】
さらに、制御シグナリングはデータの長さＬ及び方向指示情報を含み、受信ユニット３０４は、
方向指示情報が高周波数方向を指し示す場合に、高周波数を使用することによって、制御シグナリングのリソーススタート位置又はエンド位置で、その長さがＬであるデータを受信し、又は
方向指示情報が低周波数方向を指し示す場合に、低周波数を使用することによって、制御シグナリングのリソーススタート位置又はエンド位置で、その長さがＬであるデータを受信するようにさらに構成されてよい。
【０２３０】
任意選択で、制御シグナリングは、残りのＲＢペアにおいて参照信号識別子を含む。
【０２３１】
さらに、デバイスは受信端デバイスであり、制御シグナリングは残りのＲＢペアにおいて参照信号識別子を含み、送信ユニット１１０２は、
制御シグナリングによって占有されるＲＢペアにおいて、参照信号によって及び制御シグナリングによって占有されるＲＥ以外のＲＥ上で、データの一部を受信し、
残りのＲＢペアにおける参照信号識別子によって指し示されたＲＢペアにおいて、参照信号によって占有されるＲＥ以外のＲＥ上で、データの残りの部分を受信するように特に構成されてよい。
【０２３２】
任意選択で、制御シグナリングは、ＳＡ又はブロードキャストメッセージである。
【０２３３】
本発明のこの実施形態において提供される制御シグナリング送信デバイス３０は、制御シグナリングを送信するために用いられるリソースサブセットを決定し、ここでリソースサブセットは、制御シグナリングを送信するために用いられるリソースプールの一部であり、リソースサブセットにおいて制御シグナリングの送信位置を決定し、送信位置で制御シグナリングを送信する、又は、リソースサブセットにおいてブラインド制御シグナリング検出を実行する。このようにして、一般的な原理に基づいてリソースサブセットを決定した後で、送信端デバイス及び受信端デバイスは、制御シグナリングの送信位置を、リソースサブセット内であるように限定する。送信端は、リソースサブセットにおいてのみ制御シグナリングを送信し、受信端デバイスは、リソースサブセットにおいてのみブラインド制御シグナリング検出を実行する。送信端デバイス及び受信端デバイスは互いに協調し、それにより、制御シグナリングは、リソースサブセット内で送信される（送られる、又はブラインド検出を通じて受信される）。リソースプール全体においてブラインド制御シグナリング検出が実施される先行技術と比較して、この実施形態は、受信端デバイスの復調／復号負荷及び検出／ブラインド復号回数の量を大幅に削減し、受信端デバイスの電力消費及び実装複雑性を削減する。
【０２３４】
簡便かつ簡単な説明の目的のために、上記のシステム、装置、及びユニットの詳述された作業工程については、上記の方法の実施形態における対応する工程に対して参照がなされてよいことが、当業者によって明確に理解されうる。詳細は、本明細書で再度説明はされない。
【０２３５】
この出願で提供されるいくつかの実施形態において、開示されたシステム、装置、及び方法は、他の方法で実装されてもよいことが理解されるべきである。例えば、説明された装置の実施形態は、例にすぎない。例えば、ユニット分割は、論理的な機能分割にすぎず、実際の実装形態では他の分割であってもよい。例えば、複数のユニット又はコンポーネントは、別のシステムに組み合わされても、又は統合されてもよいし、又はいくつかの特徴が省略されても、又は実施されなくてもよい。加えて、表示された、又は議論された相互結合又は直接結合、又は通信接続は、いくつかのインターフェースを使用することによって実装されてもよい。装置間又はユニット間の間接結合又は通信接続は、電子的形態又は他の形態で実装されてもよい。
【０２３６】
別個の部品として説明されたユニットは、物理的に分離していても、していなくてもよく、ユニットとして表示された部品は、物理ユニットであっても、なくてもよく、１つの場所に位置決めされてもよいし、又は複数のネットワークユニット上に分散されていてもよい。ユニットのいくつか又は全部は、実施形態のソリューションの目的を達成するための実際の要件に基づいて選択されてよい。
【０２３７】
加えて、本発明の実施形態における機能ユニットは、１つの処理ユニットに統合されてもよいし、又はユニットの各々が物理的に単独で存在してもよいし、又は少なくとも２つのユニットが、１つのユニットに統合されてもよい。統合されたユニットは、ハードウェアの形態で実装されてもよいし、又はソフトウェア機能ユニットに加えたハードウェアの形態で実装されてもよい。
【０２３８】
上記の統合されたユニットがソフトウェア機能ユニットの形態で実装されるとき、統合されたユニットは、コンピュータ可読ストレージ媒体に記憶されてよい。ソフトウェア機能ユニットは、ストレージ媒体に記憶され、本発明の実施形態において説明された方法のステップのいくつかを実行するようにコンピュータデバイス（パーソナルコンピュータ、サーバ、ネットワークデバイス、その他であってよい）に命令するためのいくつかの命令を含む。上記のストレージ媒体は、ＵＳＢフラッシュドライブ、リムーバブルハードディスク、読み出し専用メモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、又は光学ディスクなどの、プログラムコードを記憶することができる任意の媒体を含む。
【０２３９】
最後に、上記の実施形態は、本発明の技術的ソリューションを説明することが意図されているにすぎず、本発明を限定することは意図されないことが留意されるべきである。本発明は上記の実施形態に関連して詳細に説明されたが、当業者は、本発明の実施形態の技術的ソリューションの趣旨及び範囲から逸脱することなく、彼らがなお上記の実施形態で説明された技術的ソリューションに修正を行っても、又はそのいくつかの技術的特徴に等価な置換を行ってもよいことを理解すべきである。
【図１】
2020058078.tif 000005
【図２】
2020058078.tif 000006
【図３】
2020058078.tif 000007
【図４】
2020058078.tif 000008
【図５】
2020058078.tif 000009
【図６】
2020058078.tif 000010
【図７】
2020058078.tif 000011
【図８】
2020058078.tif 000012
【図９】
2020058078.tif 000013
【図１０】
2020058078.tif 000014
【図１１】
2020058078.tif 000015
【図１２】
2020058078.tif 000016
【図１３】
2020058078.tif 000017
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
送信端デバイスによって実行されるエンドツーエンド通信のための方法であって、
予め設定されたルールに基づいて制御シグナリングを送信するために用いられるリソースサブセットを決定するステップであって、前記リソースサブセットは、前記制御シグナリング及びデータを送信するために用いられるリソースプールに属し、前記予め設定されたルールは、前記リソースサブセットが低周波数部分における特定数量のリソースブロック（ＲＢ）又はリソースエレメントグループ（ＲＥＧ）であることを定義する、ステップと、
前記リソースサブセットにおける前記制御シグナリングの送信位置を決定し、前記送信位置で前記制御シグナリングを送信するステップと、
を含む、方法。
【請求項２】
受信端デバイスによって実行されるエンドツーエンド通信のための方法であって、
予め設定されたルールに基づいて制御シグナリングを送信するために用いられるリソースサブセットを決定するステップであって、前記リソースサブセットは、前記制御シグナリング及びデータを送信するために用いられるリソースプールに属し、前記予め設定されたルールは、前記リソースサブセットが低周波数部分における特定数量のリソースブロック（ＲＢ）又はリソースエレメントグループ（ＲＥＧ）であることを定義する、ステップと、
前記リソースサブセットにおいてブラインド制御シグナリング検出を実行するステップと、
を含む、方法。
【請求項３】
前記予め設定されたルールは、前記リソースサブセットが、指定されたリソースセットであることを含む
請求項１又は２に記載の方法。
【請求項４】
制御シグナリングを送信するために用いられるリソースサブセットを決定する前記ステップは、
プリセットパラメータに基づいて前記リソースサブセットを決定するステップを含み、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項１又は２に記載の方法。
【請求項５】
前記制御シグナリング、前記制御シグナリングに用いられる無線ネットワーク一時識別子（ＲＮＴＩ）、又は前記制御シグナリングに用いられるスクランブリングコードが、データタイプ指示情報を含み、前記制御シグナリングが正しく受信された後で、前記方法は、
前記データタイプ指示情報に対応するリソース上でデータを受信するステップをさらに含む、
請求項２に記載の方法。
【請求項６】
前記制御シグナリング及びデータは、同じサブフレームにあり、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さである
請求項１又は２に記載の方法。
【請求項７】
前記制御シグナリング及びデータは、同じサブフレームにあり、前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さであり、
前記制御シグナリングが正しく受信された後で、前記方法は、
前記制御シグナリングがＳ０及びＬを含む場合に、Ｓ１＋Ｓ０とＳ１＋Ｓ０＋Ｌとの間のリソース区間内で前記データを受信するステップであって、Ｓ１は、前記制御シグナリングの前記リソースエンド位置である、ステップ、
前記制御シグナリングがＬを含む場合に、Ｓ１＋１とＳ１＋１＋Ｌとの間のリソース区間内で前記データを受信するステップ、又は
前記制御シグナリングがＳ０を含む場合に、Ｓ１＋Ｓ０とＳ１＋Ｓ０＋Ｌとの間のリソース区間内で前記データを受信するステップであって、Ｌは固定値である、ステップ
をさらに含む、
請求項２に記載の方法。
【請求項８】
前記制御シグナリング及びデータは、時分割多重化方式でリソースを共有し、
前記予め設定されたルールは、前記リソースサブセットが、前記データを送信するために用いられるリソースブロック（ＲＢ）ペアにおいて、参照信号によって占有されるシンボルに近接するＮ個のシンボルであることであって、Ｎは１以上である、ことを含む、
請求項１又は２に記載の方法。
【請求項９】
前記制御シグナリング及びデータは、時分割多重化方式でリソースを共有し、前記予め設定されたルールは、前記リソースサブセットが、前記データを送信するために用いられるリソースブロック（ＲＢ）ペアにおいて、参照信号によって占有されるシンボルに近接するＮ個のシンボルであることであって、Ｎは１以上である、ことを含み、
前記制御シグナリングは前記データの長さＬを含み、前記制御シグナリングが正しく受信された後で、前記方法は、
前記データの送信リソースが前記制御シグナリングの送信リソースの周波数よりも高い周波数であるように予め設定されている場合に、前記高い周波数を使用することによって、前記制御シグナリングのリソーススタート位置又はエンド位置で、その長さがＬである前記データを受信するステップ、又は
前記データの送信リソースが前記制御シグナリングの送信リソースの周波数よりも低い周波数であるように予め設定されている場合に、前記低い周波数を使用することによって、前記制御シグナリングのリソーススタート位置又はエンド位置で、その長さがＬである前記データを受信するステップをさらに含む、
請求項２に記載の方法。
【請求項１０】
前記制御シグナリングは、スケジューリングアサインメント（ＳＡ）又はブロードキャストメッセージである
請求項１又は２に記載の方法。
【請求項１１】
前記制御シグナリングは、残りのＲＢペアにおける参照信号識別子を含む、
請求項１０に記載の方法。
【請求項１２】
前記制御シグナリングは、前記リソースサブセットにおけるシンボルの数が２以上のとき、複数の制御シグナリング部分に分割され、前記複数の制御シグナリング部分は、異なるシンボルにそれぞれ配置される、
請求項１〜１１のいずれか１項に記載の方法。
【請求項１３】
予め設定されたルールに基づいて制御シグナリングを送信するために用いられるリソースサブセットを決定するように構成された決定ユニットであって、前記リソースサブセットは前記制御シグナリング及びデータを送信するために用いられるリソースプールに属し、前記予め設定されたルールは、前記リソースサブセットが低周波数部分における特定数量のリソースブロック（ＲＢ）又はリソースエレメントグループ（ＲＥＧ）であることを定義する、決定ユニットと、
前記決定ユニットによって決定された前記リソースサブセットにおける前記制御シグナリングの送信位置を決定し、前記送信位置で前記制御シグナリングを送信するように構成された送信ユニットと、
を含む、デバイス。
【請求項１４】
予め設定されたルールに基づいて制御シグナリングを送信するために用いられるリソースサブセットを決定するように構成された決定ユニットであって、前記リソースサブセットは前記制御シグナリング及びデータを送信するために用いられるリソースプールに属し、前記予め設定されたルールは、前記リソースサブセットが低周波数部分における特定数量のリソースブロック（ＲＢ）又はリソースエレメントグループ（ＲＥＧ）であることを定義する、決定ユニットと、
前記決定ユニットによって決定された前記リソースサブセットにおいてブラインド制御シグナリング検出を実行する検出ユニットと、
を含む、デバイス。
【請求項１５】
前記予め設定されたルールは、前記リソースサブセットが、指定されたリソースセットであること、を含む、
請求項１３又は１４に記載のデバイス。
【請求項１６】
前記決定ユニットは、
プリセットパラメータに基づいて前記リソースサブセットを決定するように特に構成され、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項１３又は１４に記載のデバイス。
【請求項１７】
前記制御シグナリング、前記制御シグナリングに用いられる無線ネットワーク一時識別子（ＲＮＴＩ）、又は前記制御シグナリングに用いられるスクランブリングコードが、データタイプ指示情報を含み、前記デバイスは、
前記データタイプ指示情報に対応するリソース上でデータを受信するように構成された受信ユニットをさらに含む
請求項１４に記載のデバイス。
【請求項１８】
前記制御シグナリング及びデータは、同じサブフレームにあり、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さである
請求項１３又は１４に記載のデバイス。
【請求項１９】
前記制御シグナリング及びデータは、同じサブフレームにあり、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さであり、
前記デバイスは、
前記制御シグナリングがＳ０及びＬを含む場合には、Ｓ１＋Ｓ０とＳ１＋Ｓ０＋Ｌとの間のリソース区間内で前記データを受信することであって、Ｓ１は、前記制御シグナリングの前記リソースエンド位置であること、
前記制御シグナリングがＬを含む場合には、Ｓ１＋１とＳ１＋１＋Ｌとの間のリソース区間内で前記データを受信すること、又は
前記制御シグナリングがＳ０を含む場合には、Ｓ１＋Ｓ０とＳ１＋Ｓ０＋Ｌとの間のリソース区間内で前記データを受信することであって、Ｌは固定値である、こと
を行うように構成される受信ユニットをさらに含む、
請求項１４に記載のデバイス。
【請求項２０】
前記制御シグナリング及びデータは、時分割多重化方式でリソースを共有し、
前記予め設定されたルールは、前記リソースサブセットが、前記データを送信するために用いられるリソースブロック（ＲＢ）ペアにおいて、参照信号によって占有されるシンボルに近接するＮ個のシンボルであること、を含み、Ｎは１以上である
請求項１３又は１４に記載のデバイス。
【請求項２１】
前記制御シグナリングは、残りのＲＢペアにおける参照信号識別子を含む、
請求項２０に記載のデバイス。
【請求項２２】
前記制御シグナリングは、スケジューリングアサインメント（ＳＡ）又はブロードキャストメッセージである
請求項１３又は１４に記載のデバイス。
【請求項２３】
前記制御シグナリングは、前記リソースサブセットにおけるシンボルの数が２以上のとき、複数の制御シグナリング部分に分割され、前記複数の制御シグナリング部分は、異なるシンボルにそれぞれ配置される、
請求項１３〜２２のいずれか１項に記載のデバイス。
【手続補正２】
【補正対象書類名】明細書
【補正対象項目名】００３９
【補正方法】変更
【補正の内容】
【００３９】
さらに、送信端デバイスが基地局であるとき、基地局は、送信端末を使用することによって、制御シグナリング及びデータを受信端末に送信する。
【手続補正３】
【補正対象書類名】明細書
【補正対象項目名】０１０８
【補正方法】変更
【補正の内容】
【０１０８】
通信バス３０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、周辺コンポーネント（Ｐｅｒｉｐｈｅｒａｌ  Ｃｏｍｐｏｎｅｎｔ  Ｉｎｔｅｒｃｏｎｎｅｃｔ、略してＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バス、その他であってよい。バス３０３は、アドレスバス、データバス、制御バス、その他に分類されてよい。表現しやすさのために、バスは、図３及び図４においては１つの太線のみを使用することによって表現されているが、これは１つのバス又は１つのタイプのバスのみが存在することを意味するものではない。
【手続補正４】
【補正対象書類名】明細書
【補正対象項目名】０２１４
【補正方法】変更
【補正の内容】
【０２１４】
別の態様によれば、本発明の実施形態は、別の制御シグナリング送信デバイス３０を提供する。図１１及び図１２に示されるように、デバイス３０は、
制御シグナリングを送信するために用いられるリソースサブセットを決定するように構成された決定ユニット３０１であって、ここでリソースサブセットは制御シグナリングを送信するために用いられるリソースプールに属する、決定ユニット３０１、及び
決定ユニット３０１によって決定されたリソースサブセットにおいて制御シグナリングの送信位置を決定し、送信位置で制御シグナリングを送信するように構成された送信ユニット３０２、又は、決定ユニット３０１によって決定されたリソースサブセットにおいてブラインド制御シグナリング検出を実行するように構成された検出ユニット１１０３を含んでよい。
【手続補正５】
【補正対象書類名】明細書
【補正対象項目名】０２１５
【補正方法】変更
【補正の内容】
【０２１５】
任意選択で、決定ユニット３０１は、
予め設定されたルールに基づいてリソースサブセットを決定するように特に構成されてもよい。
【手続補正６】
【補正対象書類名】明細書
【補正対象項目名】０２１７
【補正方法】変更
【補正の内容】
【０２１７】
任意選択で、決定ユニット３０１は、
プリセットパラメータに基づいてリソースサブセットを決定するように特に構成されてよく、ここでプリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである。
【手続補正７】
【補正対象書類名】明細書
【補正対象項目名】０２１８
【補正方法】変更
【補正の内容】
【０２１８】
特に、決定ユニット３０１は、
プリセットパラメータが１つのパラメータである場合に、リソースサブセットが、プリセットパラメータに対応する、第１のプリセットの対応関係におけるリソース又はリソースパターン番号であることを決定するように特に構成されてよく、ここで第１のプリセットの対応関係は、少なくとも１つのプリセットパラメータと、少なくとも１つのプリセットパラメータとの１対１対応におけるリソース又はリソースパターン番号とを含み、又は
プリセットパラメータが複数のパラメータである場合に、リソースサブセットが、プリセットパラメータの全部のパラメータに対応する、第１のプリセットの対応関係におけるリソース又はリソースパターン番号の共通集合であることを決定するように特に構成されてよい。
【手続補正８】
【補正対象書類名】明細書
【補正対象項目名】０２１９
【補正方法】変更
【補正の内容】
【０２１９】
特に、決定ユニット３０１は、
プリセットパラメータが１つのパラメータである場合に、リソースサブセットが、プリセットパラメータが満たす予め設定された条件に対応する、第２のプリセットの対応関係におけるリソース又はリソースパターン番号であることを決定するように特に構成されてよく、ここで第２のプリセットの対応関係は、少なくとも１つの予め設定された条件と、少なくとも１つの予め設定された条件との１対１対応におけるリソース又はリソースパターン番号とを含み、又は
プリセットパラメータが複数のパラメータである場合に、リソースサブセットが、複数のパラメータの各々が満たす予め設定された条件に対応する、第２のプリセットの対応関係におけるリソース又はリソースパターン番号の共通集合であることを決定するように特に構成されてよい。
【手続補正９】
【補正対象書類名】明細書
【補正対象項目名】０２２５
【補正方法】変更
【補正の内容】
【０２２５】
さらに、デバイスは送信端デバイスであり、送信ユニット３０２は、
Ｎが１よりも大きい場合に、制御シグナリングを、フィールド優先度の降順で第１の部分から第Ｎの部分に分割し、
送信位置で、第１の部分から第Ｎの部分を、その部分と参照信号によって占有されるシンボルとの間の距離の昇順で送信するように特に構成されてよい。
【手続補正１０】
【補正対象書類名】明細書
【補正対象項目名】０２２７
【補正方法】変更
【補正の内容】
【０２２７】
任意選択で、デバイスは送信端デバイスであり、制御シグナリング及びデータは同じサブフレームにあり、送信ユニット３０２は、特に、
ＹがＸに等しい場合に、制御シグナリングによって占有されるＲＢペアにおいて、参照信号によって及び制御シグナリングによって占有されるＲＥ以外のＲＥ上で、データを送信し、又は
ＹがＸよりも小さい場合に、制御シグナリングによって占有されるＲＢペアにおいて、参照信号によって及び制御シグナリングによって占有されるＲＥ以外のＲＥ上で、データの一部を送信し、残りのＲＢペアを使用することによってデータの残りの部分を送信するようにさらに構成されてもよい。
【手続補正１１】
【補正対象書類名】明細書
【補正対象項目名】０２３１
【補正方法】変更
【補正の内容】
【０２３１】
さらに、デバイスは受信端デバイスであり、制御シグナリングは残りのＲＢペアにおいて参照信号識別子を含み、送信ユニット３０２は、
制御シグナリングによって占有されるＲＢペアにおいて、参照信号によって及び制御シグナリングによって占有されるＲＥ以外のＲＥ上で、データの一部を受信し、
残りのＲＢペアにおける参照信号識別子によって指し示されたＲＢペアにおいて、参照信号によって占有されるＲＥ以外のＲＥ上で、データの残りの部分を受信するように特に構成されてよい。
【外国語明細書】
2020058078000001.pdf